(57)【要約】【課題】球受け皿に規制体を取り付けることで出口通路の遊技球の通過を円滑なものとし、さらに規制体の固定を確実なものとしつつ当該規制体を取り外して行うメンテナンスの作業性を向上させることができる遊技機を提供する。【解決手段】遊技機は、図柄を変動表示するリール装置を備えており、当該リール装置における図柄の変動表示は、遊技機主部３に設けられた取込ユニットにより上皿１５１に貯留された遊技球が所定個数取り込まれ、さらにスタートレバー３３が操作されることにより開始される。上皿１５１には取込ユニットに向けて遊技球を整列させて導出する案内通路１７１〜１７３が設けられている。また、上皿１５１には案内通路１７１〜１７３内にて遊技球が積み重ならないように第２カバー部材１５８が設けられている。第２カバー部材１５８は面替えブロック５と上皿１５１とに挟持されて固定されている。【選択図】      図２３
2014168666.tif 000002
【特許請求の範囲】
【請求項１】
遊技機前面部を構成し遊技機前方に回動可能に設けられた遊技機前面体と、
前記遊技機前面部に設けられ、遊技球を貯留する球受け皿と、
球受け皿に貯留された遊技球を取り込む取込装置とを備え、
取込装置により予め定められた数の遊技球が取り込まれた場合に遊技の開始が許容される遊技機において、
前記球受け皿には、前記取込装置に向けて遊技球を整列させて案内する出口通路を備え、
さらに、出口通路にて遊技球が積み重なるのを防止すべく、出口通路の上面開放側を覆う規制体と、
前記球受け皿に設けられ、前記規制体を下方から支持する支持手段と
を備えたことを特徴とする遊技機。
【発明の詳細な説明】
【技術分野】
【０００１】
本発明は、遊技機に関するものである。
【背景技術】
【０００２】
遊技機の一種として、複数の図柄を外周面に付したリール装置を備え、遊技者による始動操作に伴いリール装置の回転（図柄の可変表示）を開始するとともに、同じく遊技者による停止操作に伴いリール装置の回転を停止させるようにしたスロットマシン（回胴遊技機）が知られている。該スロットマシンでは、遊技媒体としてメダルを用いており、遊技機前面部に設けられた窓部を介して視認可能な領域に表示されるリール装置の停止図柄が所定の小役成立図柄に合致すると、都度の成立役に対応して所定枚数のメダルが払い出される。また、リール装置の停止図柄が特定図柄である場合に、例えばビッグボーナスゲームのような遊技者に有利な所定のゲーム（特別遊技状態）が発生する。
【０００３】
また近年、メダルの代わりにパチンコ機で使用される遊技球を用いて上記スロットマシンに似通った遊技を行うことのできる球使用回胴遊技機が考えられている（例えば、特許文献１参照）。かかる遊技機では、島設備等からの遊技球の貸出が球受け皿に対して行われる。そして、遊技者による遊技球のベット操作に伴い球受け皿内の遊技球が予め定められた数取り込まれた後に始動操作が行われることでリール装置の回転（表示装置における図柄の可変表示）が開始される。このリール装置の停止図柄が小役成立図柄に合致すると、都度の成立役に対応して所定個数の遊技球が球受け皿に払い出される。本遊技機をスロットマシンに代えて使用すれば、パチンコホール等の遊技ホールにおいて遊技球をパチンコ機と共通の遊技媒体として取り扱うことができるとともにスロットマシンの遊技性を維持することができる。またこの場合、パチンコ機とスロットマシンとが混在している現在の遊技ホールにおいて多く見られる、メダルと遊技球との別個の取扱による設備上の負担や遊技機設置場所の制約といった問題を解消し得るし、パチンコ機の島に当該遊技機を設置したりする等の柔軟性が生じる利点がある。
【０００４】
上記球使用回胴遊技機は取込装置を具備しており、球受け皿から流出した遊技球は取込装置内に設けられた遊技球取込用通路に導入される。また、取込装置には、電動アクチュエータ等により駆動されることで遊技球取込用通路の遊技球の通過を阻止又は許容するゲート部材が設けられている。そして、ゲート部材により通過が許容されることで遊技球取込用通路を遊技球が通過し、この通過がセンサにより検知される。
【０００５】
ここで、遊技球を予め球受け皿内にて整列させておくことで、取込装置への遊技球の導入が円滑なものとなると考えられる。つまり、取込装置に向けて遊技球を整列させる出口通路を球受け皿に設けることで、列状に並んだ遊技球が順次取込装置に取り込まれるからである。また、出口通路にて遊技球が積み重ならないようにその高さ方向を規制することで、出口通路を設けた構成において球詰まりなどの発生を防止することができる。
【０００６】
かかる構成において、出口通路の高さ方向を規制する手段を規制体として球受け皿や遊技機前面部を構成する遊技機前面体とは別体で設けるのが好ましい。球受け皿の掃除を行う場合や規制体に割れなどといった破損が生じた場合に、規制体を取り外すことができるからである。しかしながら、上述のとおり、規制体は出口通路の高さ方向を規制する手段であるため、当該規制体に対しては少なくとも上方への力が加わることとなる。したがって、規制体を球受け皿に対して強固に固定する必要があるが、この場合にネジやビス等の固定具を用いて規制体を固定する構成では規制体を取り外して行うメンテナンスの作業性が低下してしまう。
【先行技術文献】
【特許文献】
【０００７】
【特許文献１】特開２００１−１１２９２２号公報
【発明の概要】
【発明が解決しようとする課題】
【０００８】
本発明は、球受け皿に貯留された遊技球を取り込む取込装置を備えた遊技機において、球受け皿に規制体を取り付けることで出口通路の遊技球の通過を円滑なものとし、さらに規制体の固定を確実なものとしつつ当該規制体を取り外して行うメンテナンスの作業性を向上させることができる遊技機を提供することを目的とするものである。
【課題を解決するための手段】
【０００９】
本発明は、遊技機前面部を構成し遊技機前方に回動可能に設けられた遊技機前面体と、
前記遊技機前面部に設けられ、遊技球を貯留する球受け皿と、
球受け皿に貯留された遊技球を取り込む取込装置とを備え、
取込装置により予め定められた数の遊技球が取り込まれた場合に遊技の開始が許容される遊技機において、
前記球受け皿には、前記取込装置に向けて遊技球を整列させて案内する出口通路を備え、
さらに、出口通路にて遊技球が積み重なるのを防止すべく、出口通路の上面開放側を覆う規制体と、
前記球受け皿に設けられ、前記規制体を下方から支持する支持手段と
を備えたことを特徴とする。
【発明の効果】
【００１０】
本発明によれば、球受け皿に貯留された遊技球を取り込む取込装置を備えた遊技機において、球受け皿に規制体を取り付けることで出口通路の遊技球の通過を円滑なものとし、さらに規制体の固定を確実なものとしつつ当該規制体を取り外して行うメンテナンスの作業性を向上させることができる遊技機を提供することが可能となる。
【図面の簡単な説明】
【００１１】
【図１】一実施の形態における遊技機の全体を示す斜視図である。
【図２】遊技機の正面図である。
【図３】遊技機の内部開放状態を示す斜視図である。
【図４】遊技機の内部開放状態を示す斜視図である。
【図５】遊技機の背面図である。
【図６】遊技機主部とその開閉動作の概要を模式的に示す図である。
【図７】ドアブロックを後方から見た斜視図である。
【図８】ドアブロックの主要な構成を分解して示す斜視図である。
【図９】ドアブロックの主要な構成を分解して示す斜視図である。
【図１０】前扉体と内枠とを分離して示す斜視図である。
【図１１】前扉体と内枠とを分離して示す斜視図である。
【図１２】ドアブロックにおいて上部カバー部を分離して示す斜視図である。
【図１３】施錠装置の詳細な構成を示す斜視図である。
【図１４】施錠装置の詳細な構成を示す斜視図である。
【図１５】施錠装置の詳細な構成を示す斜視図である。
【図１６】上皿ユニットの前方から見た斜視図である。
【図１７】上皿ユニットの後方から見た斜視図である。
【図１８】（ａ）は上皿ユニットの上方から見た平面図、（ｂ）は上皿ユニットの下方から見た平面図である。
【図１９】上皿ユニットの分解斜視図である。
【図２０】上皿の斜視図である。
【図２１】上皿の平面図である。
【図２２】上皿と該上皿に設けられる各種カバー部材とを示す斜視図である。
【図２３】一部破断面を含む遊技機の側面図である。
【図２４】図２３の部分拡大図である。
【図２５】第２カバー部材の正面図である。
【図２６】第２カバー部材の配置作業を説明するための図である。
【図２７】排出操作伝達装置の構成を示す斜視図である。
【図２８】排出操作伝達装置の構成を示す平面図である。
【図２９】球留め装置の分解斜視図である。
【図３０】球留め装置の構成を示す平面図である。
【図３１】取込ユニットを上皿下方に装着した状態及び分離させた状態を後方側から示す背面図である。
【図３２】球留め装置の操作状態と遊技球の流れとの関係を示す図である。
【図３３】取込ユニットの斜視図である。
【図３４】取込ユニットの斜視図である。
【図３５】取込ユニットの分解斜視図である。
【図３６】取込装置の内部構造を示す断面図である。
【図３７】取込装置の分解斜視図である。
【図３８】上皿の開口部周辺の構成を示す図である。
【図３９】排出ゲート部材の構成を示す斜視図である。
【図４０】排出ゲート部材の動作を説明するための説明図である。
【図４１】面替えブロックの斜視図である。
【図４２】面替えブロックの斜視図である。
【図４３】面替えブロックの正面図である。
【図４４】面替えブロックの分解斜視図である。
【図４５】面替えブロックの分解斜視図である。
【図４６】前面枠の構成を示す斜視図である。
【図４７】面替えブロックの正面図である。
【図４８】パネルに付与された遊技情報を説明するための説明図である。
【図４９】リール装置の構成を示す斜視図である。
【図５０】払出ブロックの斜視図である。
【図５１】払出ブロックの斜視図である。
【図５２】払出ブロックの背面図である。
【図５３】払出ブロックから払出装置等を分離させて示す斜視図である。
【図５４】払出ブロックから制御装置類を取り外した状態を示す斜視図である。
【図５５】払出ブロックから制御装置類を取り外した状態を示す背面図である。
【図５６】遊技機の製造工程を説明するための図である。
【図５７】遊技機の製造工程を説明するための図である。
【図５８】遊技機のメンテナンス工程を説明するための図である。
【図５９】遊技機のメンテナンス工程を説明するための図である。
【図６０】遊技機の電気的構成を説明するためのブロック図である。
【発明を実施するための形態】
【００１２】
はじめに、本実施の形態から抽出され得る発明を、必要に応じて効果等を示しつつ説明する。
【００１３】
手段１．遊技機前面部を構成し遊技機前方に回動可能に設けられた遊技機前面体（ドアブロック４）と、
前記遊技機前面部に設けられ、遊技球を貯留する球受け皿（上皿１５１）と、
球受け皿に貯留された遊技球を取り込む取込装置（取込装置３０１〜３０３）とを備え、
取込装置により予め定められた数の遊技球が取り込まれた場合に遊技の開始が許容される遊技機において、
前記球受け皿には、前記取込装置に向けて遊技球を整列させて案内する出口通路（案内通路１７１〜１７３）を備え、
さらに、出口通路にて遊技球が積み重なるのを防止すべく、出口通路の上面開放側を覆う規制体（第２カバー部材１５８）と、
前記球受け皿に設けられ、前記規制体を下方から支持する支持手段（第１カバー部材１５７、上皿１５１の奥側壁部１６６）と、
前記遊技機前面体の背面側に設けられ、遊技機前面体に対して閉じた閉位置と開いた開位置とに移動可能であり、前記閉位置では前記支持手段に対して置かれた前記規制体の上方にて同規制体を支持手段と共に挟持し、前記開位置ではその挟持を解除する挟持体（面替えブロック５）と
を備えたことを特徴とする遊技機。
【００１４】
手段１の遊技機では、遊技機前面部に設けられた球受け皿に貯留された遊技球は取込装置に取り込まれる。そして、取込装置により予め定められた数の遊技球が取り込まれることで遊技の開始が許容される。球受け皿には出口通路が設けられており、さらに出口通路内にて遊技球が積み重なるのを防止する規制体が設けられている。これにより、取込装置への遊技球の導入を円滑なものとすることができる。さらに、規制体は球受け皿や遊技機前面体とを別体であるため、球受け皿のメンテナンス時や規制体が破損した場合などには規制体を取り外すことができる。
【００１５】
本構成において、球受け皿には規制体を下方から支持する支持手段が設けられており、また閉位置と開位置とに移動可能な挟持体が設けられている。挟持体は閉位置に位置することにより規制体の上方にて当該規制体を支持手段と共に挟持する。つまり、規制体はネジやビスなどの固定具を用いずに固定されている。一方、挟持体が開位置に移動することで挟持が解除される。よって、球受け皿の掃除作業や規制体が破損した場合の交換作業などといったメンテナンスを行う場合には、ネジやビスなどの固定具の固定解除操作及びその後の固定操作を行う必要がなく、挟持体を開位置と閉位置とに移動させることで球受け皿に対する規制体の固定解除及びその後の固定を行うことができる。以上より、規制体の固定を確実なものとしつつ当該規制体を取り外して行うメンテナンスの作業性を向上させることができる。なお、挟持体は遊技機前面体の背面に設けられているので、メンテナンスの作業者ではない遊技者などによって挟持体の回動操作が行われることが防止されている。
【００１６】
上記手段１における「遊技の開始が許容される」とは、例えば、絵柄を可変表示する絵柄表示装置（リール装置５０３）と、絵柄の可変表示を開始させるための始動操作手段（スタートレバー３３）とを備えた構成においては、始動操作手段の操作が有効化されることをいう。
【００１７】
手段２．手段１において、前記規制体は、前記支持手段に対して上方から置かれ、前記挟持体が前記閉位置にあることにより挟持されて上方への移動が阻止がされることを特徴とする遊技機。
【００１８】
手段２によれば、遊技機前面体から挟持体を回動させることにより規制体を取り外すことができ、規制体を取り外して行うメンテナンス時に球受け皿の着脱作業を要しない。よって、上記メンテナンスの作業性を向上させることができる。
【００１９】
手段３．手段１又は手段２において、絵柄を変動表示する絵柄表示装置（リール装置５０３）と、前記遊技機前面部に設けられ前記絵柄表示装置における絵柄の変動表示を視認可能とする窓部（透明パネル１３）と、前記絵柄の変動表示を開始させるべく操作される始動操作手段（スタートレバー３３）と、前記絵柄の変動表示を停止させるべく操作される停止操作手段（ストップスイッチ３５〜３７）とを備え、
前記取込装置により予め定められた数の遊技球が取り込まれ、且つ前記始動操作手段が操作された場合に前記絵柄の変動表示を開始し、前記停止操作手段の操作後における停止絵柄に応じて前記球受け皿に所定数の遊技球を払い出すように構成し、
さらに、前記挟持体は、前記遊技機前面体に対して前記閉位置と前記開位置との間で移動可能に設けられたベース体（前面枠５０１）に前記絵柄表示装置が搭載された表示装置ユニットであることを特徴とする遊技機。
【００２０】
手段３の遊技機では、窓部を介して変動表示される絵柄を視認しながら停止操作手段が積極操作されることにより遊技が行われる。この場合に、挟持体はベース体に絵柄表示装置が搭載された表示装置ユニットであるので、挟持体は遊技機の主要な機能を有することとなる。つまり、遊技機前面体に対して遊技機の主要な機能を有する挟持体を閉位置に移動させることにより規制体の固定を完了することができる。
【００２１】
手段４．手段３において、前記絵柄表示装置は、周方向に周回すると共に同周方向に複数種の絵柄が配列された複数の周回体（リール５４１〜５４３）と、同各周回体毎に設けられ同各周回体を周回させる周回体用駆動手段（リール５４１〜５４３を回転させるステッピングモータ）とを備えたことを特徴とする遊技機。
【００２２】
手段４によれば、各周回体用駆動手段により駆動されて各周回体が周回することにより絵柄の変動表示が行われる。この場合に、絵柄表示装置は複数の周回体と複数の周回体用駆動手段とを備えているため、当該絵柄表示装置が搭載された挟持体は比較的重量が大きくなる。したがって、規制体にかかる重量がそれだけ大きくなり規制体を強固に固定することができる。よって、出口通路にある遊技球から規制体に対して大きな負荷が加わったとしても、規制体が外れてしまうことを防止することができる。
【００２３】
手段５．手段３又は手段４において、前記出口通路を前記球受け皿における奥側領域に形成すると共に、前記出口通路が前記窓部よりも奥側となるように前記球受け皿を配置したことを特徴とする遊技機。
【００２４】
手段５によれば、出口通路は奥まった位置に配置されている。よって、出口通路を介して取込装置に対して不正用治具を挿入しようとしてもその挿入作業が行いづらくなり、当該不正用治具を用いた不正行為を抑制することができる。但し、このように出口通路が奥まった位置に配置された構成においては、規制体も奥まった位置に配置されることとなり、規制体を取り外して行うメンテナンスの作業性が低下するおそれがある。これに対して、上記手段１の構成を備え、挟持体を開位置に移動させることにより規制体の固定を解除することができるので、上記作業性の低下を抑制することができる。また、上記手段２を備えた構成においては、規制体を開位置に移動させることにより規制体の取り外し方向への移動が可能となるため、上記作業性を向上させることができる。
【００２５】
手段６．手段１乃至手段５のいずれかにおいて、前記遊技機前面体に前記挟持体を回動可能に支持する軸部（軸金具１１１，１１２，１１３）を設け、挟持体は前記軸部を中心として前記閉位置と前記開位置との間を回動することを特徴とする遊技機。
【００２６】
手段６によれば、軸部を中心として回動させることにより、挟持体を閉位置と開位置との間で移動させることができる。これにより、挟持体の移動を容易に行うことができ、それに起因して規制体を取り外して行うメンテナンスの作業性を向上させることができる。
【００２７】
手段７．手段６において、前記挟持体の下壁部（下壁部５５７）の手前側端部が前記規制体の奥側端部に対して上方に離れた高さとなるように、前記下壁部を少なくともその途中位置から手前側端部に向けて上り傾斜となるよう形成したことを特徴とする遊技機。
【００２８】
手段７によれば、挟持体を閉位置に回動させる際に挟持体が規制体上に乗り易くなる。これにより、挟持体の閉位置への回動を容易に行うことができ、それに起因して規制体を取り外して行うメンテナンスの作業性を向上させることができる。特に、上記手段４を備え挟持体の重量が比較的大きい構成においては、挟持体が軸部に片持ち支持されると開位置において当該挟持体は下方に沈み易くなる。この場合に、本手段における構成とすることで、挟持体の閉位置への回動を容易に行うことができる。
【００２９】
手段８．手段１乃至手段７のいずれかにおいて、前記取込装置を複数並設すると共に、前記球受け皿には仕切壁（仕切部１６７，１６８）を略遊技球１個分隔てて設けることで前記出口通路を前記取込装置と同数並設し、
前記仕切壁を、その少なくとも下流部（下流部１６７ａ，１６８ａ）の上面が下流側先端に向けて下り傾斜となるよう形成すると共に、前記規制体を、その底壁部の少なくとも下流側が前記下流側先端に向けて下り傾斜となるよう形成し、
さらに、前記規制体の底壁部（底壁部２４６）に下方へ突出した突起（挿入用突起２４８）を設けると共に、前記仕切壁に前記突起が挿入される挿入部（貫通孔１６７ｃ，１６８ｃ）を設けたことを特徴とする遊技機。
【００３０】
手段８によれば、取込装置が複数並設されていることにより、予め定められた数の遊技球を取り込むのに要する時間が短縮化される。また、出口通路を取込装置の数と同数設けることにより、球受け皿にて取込装置と同数の一連の遊技球列を確実に形成させることができ、各取込装置への遊技球の供給を円滑に行うことができる。
【００３１】
この場合に、仕切壁の少なくとも下流部の上面、及び規制体の底壁部の少なくとも下流側が下流側先端に向けて下り傾斜されている。また、規制体の底壁部には突起が設けられ、仕切壁には挿入部が設けられている。したがって、球受け皿に対する規制体の配置作業において仕切壁及び規制体の底壁部の傾斜に合わせて規制体を配置することが可能であり、この配置作業は挿入部に突起が挿入されて完了する。よって、規制体を取り外して行うメンテナンス後における規制体の配置作業を簡単に行うことができる。
【００３２】
手段９．手段８において、前記規制体の上下に延びる周壁部のうち下流側端面（下流側端面２５０）が前記球受け皿の周壁部（周壁部１６２）に当接し、
さらに、前記規制体の底壁部に、下方へ突出し前記仕切壁の下流側端面（下流側端面１６７ｄ）に当接する当接部（ガイド用突起２４９）を設けたことを特徴とする遊技機。
【００３３】
手段９によれば、規制体の下流側端面が球受け皿の周壁部に当接していることで当該周壁部により規制体の下流側方向への移動が規制され、さらに規制体の当接部が仕切壁の下流側端面に当接していることで仕切壁により規制体の上流側方向への移動が規制される。そして、上記手段１の構成を備え規制体は支持手段と挟持体とにより挟持されている。よって、規制体を確実に固定することができる。
【００３４】
また、本構成によれば、球受け皿に対する規制体の配置作業において仕切壁及び規制体の底壁部の傾斜に合わせて規制体を配置していくと、その配置方向の移動が規制体の下流側端面が球受け皿の周壁部に当接して規制される。そして、この位置にて規制体を支持手段上に置くことで、当接部が仕切壁の下流側端面に当接し、さらに挿入部に突起が挿入され規制体が位置決めされる。よって、規制体を取り外して行うメンテナンス後などにおける規制体の配置作業を簡単に行うことができる。
【００３５】
手段１０．手段８又は手段９において、前記仕切壁の上面と前記規制体の底壁部との間に所定の隙間が形成されるように規制体を配置し、
さらに、前記挿入部を、貫通孔とした、又は前記突起の長さ寸法よりも深い挿入穴としたことを特徴とする遊技機。
【００３６】
手段１０によれば、出口通路を仕切る仕切壁の上面と規制体の底壁部との間に所定の隙間が形成されていることにより、挟持体と球受け皿とにより挟持された際に規制体が下方に沈んだとしても仕切壁や規制体に破損が生じることを防止することができる。つまり、仕切壁の上面と規制体の底壁部とが当る構成においては、規制体が下方に沈むとそれにより仕切壁及び規制体に負荷がかかりその負荷によっては破損が生じるおそれがあるからである。
【００３７】
また、挿入部は貫通孔又は突起の長さ寸法よりも深い挿入穴である。したがって、挟持体と球受け皿とにより規制体が挟持された場合に規制体が下方に沈んだとしても突起又は挿入部に破損が生じることを防止することができる。つまり、突起の先端と挿入部の底部とが当たる構成においては、規制体が下方に沈むとそれにより突起の先端及び挿入部の底部に負荷がかかりその負荷によっては破損が生じるおそれがあるからである。
【００３８】
特に、上記手段４を備え挟持体の重量が比較的大きい構成においては挟持体と球受け皿とにより挟持された際に規制体が大きく下方に沈むおそれがあるが、この際に仕切壁や規制体、及び突起や挿入部に破損が生じることを防止することができる。
【００３９】
手段１１．手段１乃至手段７のいずれかにおいて、前記取込装置を複数並設すると共に、前記球受け皿に仕切壁（仕切部１６７，１６８）を略遊技球１個分隔てて設けることで前記出口通路を前記取込装置と同数並設し、
前記仕切壁の上面と前記規制体の底壁部（底壁部２４６）との間に所定の隙間が形成されるように規制体を配置したことを特徴とする遊技機。
【００４０】
手段１１によれば、取込装置が複数並設されていることにより、予め定められた数の遊技球を取り込むのに要する時間が短縮化される。また、出口通路を取込装置の数と同数設けることにより、球受け皿にて取込装置と同数の一連の遊技球列を確実に形成させることができ、各取込装置への遊技球の供給を円滑に行うことができる。
【００４１】
この場合に、出口通路を仕切る仕切壁の上面と規制体の底壁部との間に所定の隙間が形成されていることにより、挟持体と球受け皿とにより挟持された際に規制体が下方に沈んだとしても仕切壁や規制体に破損が生じることを防止することができる。つまり、仕切壁の上面と規制体の底壁部とが当る構成においては、規制体が下方に沈むとそれにより仕切壁及び規制体に負荷がかかりその負荷によっては破損が生じるおそれがあるからである。特に、上記手段４を備え挟持体の重量が比較的大きい構成においては挟持体と球受け皿とにより挟持された際に規制体が大きく下方に沈むおそれがあるが、この際に仕切壁や規制体に破損が生じることを防止することができる。
【００４２】
手段１２．手段１１において、前記仕切壁及び前記規制体の底壁部には、その一方に上下方向に延びる突起（挿入用突起２４８）を設けると共に、他方に同突起が挿入される挿入部（貫通孔１６７ｃ，１６８ｃ）を設け、
挿入部を、貫通孔とした、又は前記突起の長さ寸法よりも深い挿入穴としたことを特徴とする遊技機。
【００４３】
手段１２によれば、突起及び挿入部が設けられていることによりこれらが球受け皿に対する規制体の位置決め手段として機能し、規制体を取り外して行うメンテナンス後などにおける規制体の配置作業を簡単に行うことができる。特に、上記手段１１の構成を備え仕切壁の上面と規制体の底壁部との間に所定の隙間が形成された構成においては、規制体の配置作業が困難なものとなるおそれがあるが、上記のとおり位置決め手段が設けられていることにより配置作業を簡単に行うことができる。
【００４４】
この場合に、挿入部は貫通孔又は突起の長さ寸法よりも深い挿入穴である。したがって、挟持体と球受け皿とにより規制体が挟持された場合に規制体が下方に沈んだとしても突起又は挿入部に破損が生じることを防止することができる。つまり、突起の先端と挿入部の底部とが当たる構成においては、規制体が下方に沈むとそれにより突起の先端及び挿入部の底部に負荷がかかりその負荷によっては破損が生じるおそれがあるからである。特に、上記手段４を備え挟持体の重量が比較的大きい構成においては挟持体と球受け皿とにより挟持された際に規制体が大きく下方に沈むおそれがあるが、この際に仕切壁や規制体に破損が生じることを防止することができる。
【００４５】
手段１３．手段１乃至手段１２のいずれかにおいて、前記規制体により、前記出口通路における少なくともその途中位置から球出口までの上面開放側を覆ったことを特徴とする遊技機。
【００４６】
手段１３によれば、出口通路における少なくともその途中位置から球出口までの上面開放側が規制体により覆われているので、出口通路を介して取込装置に対して不正用冶具を挿入しようとしても規制体により邪魔され、その挿入作業を困難なものとすることができる。よって、不正用冶具を用いた不正行為を抑制することができる。
【００４７】
また、上記のとおり、規制体は出口通路内にて遊技球が積み重なるのを防止する機能を有する。つまり、規制体に対して、遊技球が積み重なるのを防止する機能と、不正用冶具を用いた不正行為を抑制する機能とを共通化させることができる。
【００４８】
手段１４．手段１３において、前記規制体を透明材料で形成したことを特徴とする遊技機。
【００４９】
手段１４によれば、出口通路の上面開放側が規制体により覆われた構成において、規制体が透明材料で形成されている。これにより、出口通路の規制体により覆われた領域にある遊技球が遊技機前方から視認可能となる。仮に、当該領域が遊技機前方から視認できない構成においては、遊技者が遊技球の存否を確認することが困難なものとなるため、まだ遊技球が残っているのにそれに気づかず遊技を止めてしまうなどの不都合が生じ得る。これに対して、上記のとおり、出口通路の規制体により覆われた領域にある遊技球を視認可能とすることで、上記不都合の発生を抑制することができる。
【００５０】
手段１５．手段１乃至手段１４のいずれかにおいて、前記取込装置のハウジング（ハウジング３１１，３１２）内に、前記球受け皿から流下した遊技球が自重により流下する遊技球取込用通路（入口通路３０５〜３０７、取込通路３１５）と、駆動手段（ソレノイド３２５）により駆動されて前記遊技球取込用通路の遊技球の通過を阻止又は許容する開閉手段（取込ゲート部材３２０）と、同開閉手段の下流側にて前記遊技球取込用通路を通過する遊技球を検知する球検知手段（センサユニット３７０）とを備え、
前記遊技球取込用通路における前記開閉手段よりも上流側の上流通路（入口通路３０５〜３０７）を、同開閉手段に向けて下り傾斜した底面上を遊技球が転動して流下するよう形成すると共に、前記上流通路の前記底面が前記ハウジング外部に露出されるように前記ハウジングの上部を上方に開放し、
前記上流通路内にて遊技球が積み重なるのを防止すべく同上流通路の上面開放側を前記規制体により覆ったことを特徴とする遊技機。
【００５１】
手段１５によれば、球受け皿から流出した遊技球は遊技球取込用通路に導入され、駆動手段に駆動されることで開閉手段が遊技球取込用通路の通過を許容することでその導入された遊技球が遊技球取込用通路を通過する。この通過する遊技球は球検知手段により検知され、予め定められた数の遊技球が検知されることにより遊技の開始が許容される。
【００５２】
この場合に、上流通路を通過する遊技球はその底面上を傾斜に沿って転動する構成であることにより、上流通路にて連なる遊技球の重量負荷の一部が上流通路の底面により受けられ、これら遊技球の開閉手段に対する重量負荷が軽減される。よって、開閉手段の故障の発生を抑制することができる。
【００５３】
また、取込装置では遊技回毎に予め定められた数の遊技球が取り込まれるため、遊技が行われる上で上流通路を通過する遊技球数は比較的多くなる。よって、上流通路の底面に埃などが溜まり易い。そして、埃などが溜まると上流通路の遊技球の通過が阻害されてしまうおそれがある。また、埃などが１塊となって下流側へ流れ、球検知手段によりそれが遊技球の通過と誤検知されるおそれがある。さらには、埃などが開閉手段側にまで溜まり、当該開閉手段の動作不良を引き起こすおそれがある。したがって、上流通路の底面を定期的に掃除する必要がある。かかる事情において、上記のとおり、ハウジングの上部が上方に開放されていることにより、上流通路の底面がハウジング外部に露出されている。そして、上流通路の上面開放側は規制体により覆われており、この規制体は球受け皿や遊技機前面体とは別体で設けられている。つまり、規制体を取り外すことで容易に上流通路の底面を掃除することができ、上流通路のメンテナンスの作業性向上を図ることができる。特に、上記手段２を備えた構成においては、遊技機前面体から挟持体を開位置に移動させることにより規制体を取り外すことができるので、メンテナンス作業はより容易なものとなる。
【００５４】
また、上流通路の底面がハウジング外部に露出された構成において、規制体により上流通路の上面開放側が覆われていることによりメンテナンス時ではない通常時に上流通路にて遊技球が積み重なるのが防止され、さらには上流通路を介して球検知手段に対して不正用冶具を挿入しようとする不正行為を抑制することができる。
【００５５】
なお、上記手段１４の構成を備え規制体が透明材料で形成された構成においては、上流通路内が遊技機前方から視認可能となるように取込装置を球受け皿に対して横並びで配置することで、遊技者にとっては上流通路内の遊技球の存否を目視により確認することが可能となる。仮に、上流通路内にある遊技球の存否を確認することが困難な構成においては、まだ遊技球が残っているのにそれに気づかず遊技を止めてしまうなどの不都合が発生し得る。これに対して、上記のとおり、上流通路内の遊技球の存否を目視により確認可能とすることで、上記不都合の発生を抑制することができる。
【００５６】
手段１６．手段１乃至手段１５のいずれかにおいて、前記規制体にその周縁に沿って外方に突出する突出部（フランジ部２４１）を設け、
前記支持手段は前記突出部を下方から支えることで前記規制体を支持し、
前記突出部を前記支持手段と前記挟持体とにより挟持したことを特徴とする遊技機。
【００５７】
手段１６によれば、規制体にはその周縁に沿って外方に延びる突出部が設けられており、当該突出部が支持手段により下方から支えられることで規制体が支持されている。そして、突出部が支持手段と挟持体とにより上下に挟持されることで規制体が固定されている。このように周縁に沿って外方に延びる突出部を挟持する構成とすることで、挟持する範囲を極力抑えつつ規制体を確実に固定することができる。
【００５８】
手段１７．手段１６において、前記突出部を前記規制体の上端縁に設けたことを特徴とする遊技機。
【００５９】
手段１７によれば、突出部は規制体の上端縁に設けられているので、支持手段の上端縁に対して規制体が上方に大きく突出することが防止される。よって、挟持体の形状を複雑化させることなく挟持体による規制体の挟持を行うことができる。
【００６０】
手段１８．手段１乃至手段１７のいずれかにおいて、前記遊技機前面体は左右方向の一端を中心として回動する構成とし、
前記出口通路を、前記球受け皿における前記遊技機前面体の回動先端側の端部付近に設けたことを特徴とする遊技機。
【００６１】
手段１８によれば、出口通路が球受け皿における遊技機前面体の回動先端側の端部付近に設けられているので、規制体を取り外して行うメンテナンスの作業性を向上させることができる。遊技機前方に突出させた位置にて上記作業を行うことができるからである。
【００６２】
手段１９．手段１乃至手段１８のいずれかにおいて、前記取込装置を複数並設すると共に、前記出口通路を前記取込装置と同数並設し、
一の前記規制体によりすべての出口通路の上面開放側を覆ったことを特徴とする遊技機。
【００６３】
手段１９によれば、取込装置が複数並設されていることにより、予め定められた数の遊技球を取り込むのに要する時間が短縮化される。また、出口通路を取込装置の数と同数設けることにより、球受け皿にて取込装置と同数の一連の遊技球列を確実に形成させることができ、各取込装置への遊技球の供給を円滑に行うことができる。
【００６４】
また、一の規制体によりすべての出口通路の上面開放側を覆ったことにより、球受け皿のメンテナンス時には規制体を取り外すことですべての出口通路を上方に開放させることができる。よって、規制体を取り外して行うメンテナンスの作業性を向上させることができる。但し、本構成においては、規制体に対して出口通路内にある遊技球から加えられる負荷が大きくなる。これに対して、上記手段１の構成を備え、規制体は挟持体と支持手段との挟持により強固に固定されているため、規制体が外れしてまったりすることが防止される。
【００６５】
以下に、遊技球を遊技媒体として用いて遊技を行う遊技球使用回胴遊技機に関する一実施の形態につき図面に基づいて説明する。
【００６６】
本実施の形態における遊技機は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている。本遊技機には、遊技ホール等においてパチンコ機と共通の遊技球供給システムから遊技球の供給がなされるようになっており、パチンコ機が設置される既存の島設備（パチンコ島）に本遊技機を設置することが可能となっている。
【００６７】
まず、遊技機１の外観構成及び内部構造の概略を説明する。ここで、図１は遊技機１の全体を示す斜視図、図２は遊技機１の正面図、図３及び図４は遊技機１の内部開放状態を示す斜視図、図５は遊技機１の背面図である。なお以下の説明においては、特に注記しない限りは、遊技機１の正面から見た状態を基準として左右上下などの方向を記載することとする。
【００６８】
遊技機１は、本体枠としての外枠２と、この外枠２に対して前方に回動可能に取り付けられた遊技機主部３とを有する。外枠２は木製の板材を四辺に連結し構成されるものであって、全体として矩形状をなしている。本遊技機１を遊技ホールに設置する際には、外枠２が島設備に取り付け固定される。外枠２を合成樹脂やアルミニウム等の金属によって構成することも可能である。図３等では隠れて図示されていないが、外枠２を構成する四辺の板材のうち右辺の板材には、その内側上下２カ所に、後述するドアブロック４に設けた施錠部材（詳しくは鉤金具１２５，１２６）を係止するための鉤受け金具が設けられている。
【００６９】
遊技機主部３は、扉体ユニットであるドアブロック４と、絵柄表示ユニットである面替えブロック５と、遊技球の払出ユニットである払出ブロック６とから構成されている。ドアブロック４には上下２カ所にヒンジ金具８が設けられており、このヒンジ金具８と外枠２側の上下２カ所の支持金具９とにより、ドアブロック４（遊技機主部３）が外枠２に対して回動可能に支持されている。この場合、遊技機１を正面から見て左側に回動軸線が設けられる構成となっており、遊技機主部３は正面から見て右側を回動先端部として開放される。外枠２に対して遊技機主部３が閉じた状態では、ドアブロック４の外周縁部の背面が外枠２の前面に当接するようになっている。
【００７０】
面替えブロック５はドアブロック４の背面側に取り付けられ、更に面替えブロック５を背面側から覆うようにして払出ブロック６が取り付けられている。これら面替えブロック５と払出ブロック６はドアブロック４の一部にそれぞれ回動可能に支持されており、外枠２に対してドアブロック４と一体で回動可能となるとともに、ドアブロック４に対して各々個別に回動可能となる構造を有する。
【００７１】
ここで、遊技機主部３を構成する上記の各部材について相対的な位置関係と動作状態を簡単に説明する。図６は遊技機主部３を模式的に示す図面であり、（ａ）は遊技機主部３を背面側から見た図、（ｂ），（ｃ）はドアブロック４に対する面替えブロック５と払出ブロック６の開放動作状況を示す図である。
【００７２】
（ａ）に示すように、ドアブロック４に対して面替えブロック５や払出ブロック６を開放動作させるための軸線ＡＸ１が図の右側（正面から見ると左側）に設定されている。この軸線ＡＸ１は、面替えブロック５を支持するための軸線と払出ブロック６を支持するための軸線とを兼ねるものとなっている。この場合、図示のＭ１１，Ｍ１２は面替えブロック５を支持するための支持手段であり、Ｍ２１，Ｍ２２，Ｍ２３は払出ブロック６を支持するための支持手段である。つまり、面替えブロック５用の支持手段Ｍ１１，Ｍ１２は同軸となるよう上下各位置に設けられるとともに、払出ブロック６用の支持手段Ｍ２１〜Ｍ２３も同様に同軸となるよう上下各位置に設けられており、払出ブロック６用の支持手段Ｍ２１，Ｍ２２に挟まれるようにして前記支持手段Ｍ１１，Ｍ１２が配置されている。また特に、これら各ブロック５，６の各支持手段は全て同軸となるよう設けられている。
【００７３】
上記構成により、（ｂ），（ｃ）の各動作が可能となっている。（ｂ）では、ドアブロック４に対して面替えブロック５と払出ブロック６とを一体的に開放動作させている。（ｃ）では、（ｂ）の状態から、面替えブロック５と払出ブロック６とを分離させ、面替えブロック５を前方側に回動動作させている。また、上述したとおり、面替えブロック５及び払出ブロック６は共に、遊技機１を正面から見て左側に回動軸線が設けられており、右側を回動先端部として開放される。これら回動軸線及び回動先端部が設定された方向は、ドアブロック４において設定されたものと同一となっている。
【００７４】
（ドアブロック４の説明）
次に、ドアブロック４を図７等を用いて詳細に説明する。ここで、図７はドアブロック４を後方から見た斜視図、図８，図９はドアブロック４の主要な構成を分解してそれらを前方から及び後方から示す斜視図である。なお以下のドアブロック４の説明では、図７〜図９以外にも、前述の図１や図２等を適宜用いることとする。
【００７５】
ドアブロック４において、前扉体１１は、前記外枠２とほぼ同等の大きさ（縦寸法及び横寸法）を有し、その背面側に重なるようにして内枠１２が取り付けられている。前扉体１１及び内枠１２はいずれも合成樹脂材料により成形されており、背後より複数箇所でネジ締めすることにより結合されている。ただし、ドアブロック４の剛性を高めるべく、内枠１２を金属材料により成形することも可能である（例えばアルミダイキャストにより成形する）。
【００７６】
そして、前扉体１１及び内枠１２の背面側から透明パネル１３やパネル支持部材１４が組み付けられている。また、前扉体１１及び内枠１２の背面側には、上皿ユニット１５や取込ユニット１６がビスやネジなどの固定具を用いて固定されている。
【００７７】
（前扉体１１の説明）
前扉体１１は、後述するリール図柄や液晶図柄等を視認可能とする図柄視認部、遊技に際し遊技者により手動操作される操作部、上皿部で余剰となった遊技球などを貯留するための下皿部などを備える。以下、前扉体１１と内枠１２とを拡大して示す斜視図（図１０，図１１）等を参照して前扉体１１の詳細な構成を説明する。
【００７８】
すなわち、図１０等に示すように、前扉体１１の上半部には、図柄視認部として略台形状をなす視認窓２１が形成されている。この視認窓２１には、平坦な透明板よりなりかつ視認窓２１とほぼ同形状をなす透明パネル１３（図８参照）がはめ込まれるようになっており、この透明パネル１３を介してその内方が視認可能となっている。視認窓２１は、前扉体１１においてその前面部のほぼ上半分の領域で設けられており、こうした比較的大型に構成される視認窓２１によれば、大型の液晶表示装置を用いた画像の表示演出によって遊技者に多大なインパクトを与えることが可能になることに加え、本遊技機１の主表示装置たるリール装置の図柄の視認性が良好なものとなっている。
【００７９】
ここで、透明パネル１３は、前扉体１１に対して背面側から取り付けられ、パネル支持部材１４により固定されるようになっている。詳しくは、パネル支持部材１４は、視認窓２１や透明パネル１３と同形状の開口部を有する枠体として構成されており、その左右上下の各枠部分にはそれぞれネジ孔等を有する固定支持部１４ａが形成されている。かかる場合、前扉体１１に対して内枠１２を組み付けた状態で、その背面側から透明パネル１３とパネル支持部材１４とを装着し、固定支持部１４ａにおいてネジ締め等を行うことよりパネル支持部材１４を固定する。これにより、前扉体１１の視認窓２１を囲む周囲部分とパネル支持部材１４とにより透明パネル１３の周縁部が挟持され、前扉体１１に対する透明パネル１３の装着が完了する。
【００８０】
前扉体１１の前面側において、視認窓２１の左右側方部及び上方部には囲い部２３が設けられており、この囲い部２３には中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変更したりすることで、役の成立等が遊技者に告知される。また、このランプ部２４，２５やスピーカ部２６を用いて、エラー告知等を行うことも可能である。
【００８１】
ちなみに、前記視認窓２１は、前扉体１１の左右幅に対して囲い部２３（左右の側方ランプ部２５）を除く範囲で設けられており、故に視認窓２１は左右に幅広いものとなっている。また言い加えると、視認窓２１は、後述するリール装置や液晶装置の横幅よりも幅広となっている。
【００８２】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部において、向かって左寄りの位置（概ねスタートレバー３３と左側のストップスイッチ３５との間）には、前面板部３１から後方に出っ張るようにしてベットスイッチ取付板部３２が形成されており、その取付板部３２にボタン状のベットスイッチ３８が取り付けられている。
【００８３】
ベットスイッチ３８は、遊技者によるベット（賭数）の設定を行わせるものであり、その押し操作により上皿１５１に貯留された遊技球が所定個数分取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、１ベットスイッチや２ベットスイッチを設ける構成であっても良い。ちなみに、１ベットスイッチは、１回の押し操作により１ベット相当（５個分）の遊技球を取り込ませるためのベットスイッチであり、２ベットスイッチは、１回の押し操作により２ベット相当（１０個分）の遊技球を取り込ませるためのベットスイッチである。
【００８４】
スタートレバー３３は、後述するリール装置５０３の各リール（回転体）を回転開始させるための操作部材であり、各リールを回転開始、すなわち図柄の可変表示を開始させるべく操作される始動操作手段を構成する。
【００８５】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、その状態で押し操作される。また、停止操作可能な状態中には図示しないランプが点灯表示されることによって停止操作が可能であることが報知され、各リールの回転が停止すると消灯されるようになっている。
【００８６】
操作部３０の後方には、前記前面板部３１とほぼ同じ長さを有し上方に開口した横長状の開口部４１が形成されている。この開口部４１は、前扉体１１に上皿ユニット１５を装着した場合に上皿１５１を配するための開口領域であり、開口部４１の左右方向の幅寸法は上皿１５１の左右方向の幅寸法に概ね合致し、同開口部４１の前後方向の幅寸法は上皿１５１の前後方向の幅寸法よりも若干短いものとなっている。なお、開口部４１の左右方向の幅寸法は、視認窓２１の左右方向の幅寸法よりも若干短くなっている。
【００８７】
操作部３０の前面板部３１には、正面から見て右下部に切欠部４２が形成されている。この切欠部４２は、後述する排出操作伝達装置１５４の操作レバー１９８を設置するための設置スペースとなっている。
【００８８】
前記視認窓２１（透明パネル１３）と操作部３０との間には、左右方向に延びる横長窓部５０が設けられている。横長窓部５０は、視認窓２１（透明パネル１３）よりも奥側に位置し、その左右方向の幅寸法は視認窓２１の左右方向の幅寸法、及び開口部４１の左右方向の幅寸法よりも若干短くなっている。横長窓部５０の右方には上下２つの小穴５１，５２が設けられている。この小穴５１，５２は、後述する操作スイッチ５１８，５１９を露出させて押し操作可能とするための孔部である。
【００８９】
前扉体１１において、横長窓部５０の左右の側方部には、その上方の囲い部２３に比して奥側に後退するようにして弧状の凹み部６１が設けられており、その凹み部６１には、外枠２に対する遊技機主部３（ドアブロック４）の施錠及び解錠を行うための施錠部材（詳細には、後述する内枠１２に設けたキーシリンダ１３７）を前方に露出させるためのキーシリンダ設置穴６２が形成されている。
【００９０】
図１等で確認できるとおり左右の凹み部６１は上皿１５１の直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００９１】
更に、前扉体１１において、操作部３０の下方には、前記囲い部２３及び凹部６１に意匠形状が連続するようにして膨出部７０が形成されており、その膨出部７０に囲まれるようにして下皿７１と灰皿７２が形成されている。膨出部７０に囲まれた奥壁部７３には下皿排出口７４とスピーカ穴７５とが形成されている。上皿１５１やその上流通路に遊技球が満タンに貯留されている状態であって更に払出装置から遊技球が払い出される場合、或いは、上皿１５１内に貯留されている遊技球に対して球抜き操作が行われる場合には、下皿排出口７４を介して下皿７１に遊技球が排出される。
【００９２】
下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から左方に操作されることで前記開閉板７６が開位置にスライド移動し、下皿７１内の遊技球の排出が行われる。その他、膨出部７０において下皿７１の左右両側方には下皿ランプ部７８が設けられている。
【００９３】
図１１に示すように、前扉体１１の背面側の構成として、前記視認窓２１の左右両側には前記側方ランプ部２５を収容するランプ収容部９１が設けられている。ランプ収容部９１は略角柱状をなしており、透明パネル１３を前扉体１１に取り付ける際にはランプ収容部９１の内側面に沿うようしてパネル支持部材１４が装着されるようになっている。
【００９４】
また、前扉体１１の背面側上部位置には左右一対の上部スピーカ９２が設けられている。上部スピーカ９２は、前扉体１１の前面側に設けたスピーカ部２６の後方に設けられる音源であり、この上部スピーカ９２の音声がスピーカ部２６から遊技機前方に発せられるようになっている。
【００９５】
前扉体１１の背面側から見て横長窓部５０の下方には、上皿ユニット１５の上皿１５１を収容するための上皿収容部９３が設けられている。上皿収容部９３は、左右方向に延び、その前方で前記開口部４１（前扉体１１の前面側の開口領域）に通じるように設けられている。
【００９６】
（内枠１２の説明）
図１０や図１１に示すように、内枠１２は、前扉体１１と相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、内枠１２の背面側には、下枠部１０４の上縁部の一部を除く範囲で中央開口部１０５を囲むようにして一定高さのリブ１０６が形成されている。ただし、左枠部１０１には軸金具１１１〜１１３が設けられており、その軸金具１１１〜１１３によって面替えブロック５や払出ブロック６が支持されることから、左枠部１０１のリブ１０６に関しては剛性を高めるべく比較的肉厚に形成されている。
【００９７】
また、内枠１２の前面側において、上枠部１０３には、前記中央ランプ部２４の光源となるランプ類を実装したランプ基板１０７が取り付けられるとともに、その背面側に音声ランプ中継基板１０８が取り付けられている。
【００９８】
ここで、前扉体１１に内枠１２を組み付けた状態では、ランプ基板１０７は前扉体１１の中央ランプ部２４の後方に隠れるが、本実施の形態では特に、前扉体１１の上側一部分を分離させて取り外し可能とし、その後方のランプ基板１０７やその他上部スピーカ９２などのメンテナンス等を容易なものとしている。すなわち、図１２に示すように、前扉体１１の前面部は、中央ランプ部２４及びスピーカ部２６を含む範囲で分割されて構成されており、前扉体１１（ドアブロック４）に対して分離可能な部位が上部カバー体９４となっている。上部カバー体９４を固定する固定手段としては、前扉体１１及び内枠１２に複数のネジ付け部１０９が設けられており、内枠１２の後方よりネジ締結が行われるようになっている。実際には、上１カ所、左右２カ所ずつの計５カ所にネジ付け部１０９が設けられている。なお、図１２の符号１０７ａは、上部カバー体９４を固定するための差込孔である。この差込孔１０７ａをネジ締め付け孔として用いることも可能である。
【００９９】
上部カバー体９４において、中央ランプ部２４には有色の透明又は半透明パネルが組み込まれており、当該パネルを通じてランプ基板１０７による発光が遊技機前方にて確認できるようになっている。また、スピーカ部２６には多数のスリットが形成されており、このスリットを通じて上部スピーカ９２による音声が遊技機前方にて確認できるようになっている。
【０１００】
本構成によれば、上部カバー体９４を取り外すことにより、ランプ基板１０７や上部スピーカ９２を露出させることができる。この場合、ドアブロック４を開放状態としたままでなくても、ランプ基板１０７上のランプ類や上部スピーカ９２の修理や交換などを行うことができる。
【０１０１】
前述したように本遊技機１は、正面から見て左側に回動軸線が設けられる構成となっており、上枠部１０３と下枠部１０４には前述のヒンジ金具８が上下２カ所に取り付けられている。このとき、前述した上部スピーカ９２はヒンジ金具８の前方に位置し、上部スピーカ９２は前寄りに設けられることとなる。かかる構成において、上部カバー体９４が前外し可能であるため、上部スピーカ９２のメンテナンスが容易となる。また、左右の上部スピーカ９２が各々隅部に設けられているため、その間のランプ基板１０７（中央ランプ部２４）が幅広に形成できるようになっている。更に、同じく左右の上部スピーカ９２が各々隅部に設けられているため、視認窓２１を拡大することができ、図柄等の表示領域を拡張することが可能となる。限られた領域内で各種の表示等を行う場合には、上記のような構成が有効であると考えられる。
【０１０２】
左枠部１０１において、リブ１０６の先端部には上下３カ所に軸金具１１１，１１２，１１３が所定間隔を隔てて取り付けられている。これら軸金具１１１〜１１３は、面替えブロック５や払出ブロック６を回動可能に支持するための金具部材である。軸金具１１１〜１１３はいずれも略コ字状をなしており、軸金具１１１には上下に軸受け部１１１ａ，１１１ｂが形成され、軸金具１１２には上下に軸受け部１１２ａ，１１２ｂが形成され、軸金具１１３には上下に軸受け部１１３ａ，１１３ｂが形成されている。軸金具１１１〜１１３の各軸受け部１１１ａ，１１１ｂ，１１２ａ，１１２ｂ，１１３ａ，１１３ｂには軸孔が形成されており、軸金具１１１〜１１３は全ての軸孔が何れも同一の軸線上に配置されるようリブ１０６に固定されている。
【０１０３】
かかる場合、軸金具１１１の下側の軸受け部１１１ｂと軸金具１１２の上側の軸受け部１１２ａとが面替えブロック５を支持するための面替えブロック支持手段に相当し、軸金具１１１の上側の軸受け部１１１ａと軸金具１１２の下側の軸受け部１１２ｂと軸金具１１３の下側の軸受け部１１３ｂとが払出ブロック６を支持するための払出ブロック支持手段に相当する。
【０１０４】
また、右枠部１０２には、ドアブロック４及び払出ブロック６を開放不能な施錠状態で保持するための施錠装置１２０が設けられている。図１３は、施錠装置１２０の単体構成を示す斜視図であり、同図の（ａ），（ｂ）は相対向する２方向から見た斜視図を示している。
【０１０５】
図１３において、施錠装置１２０は、金属板を折り曲げて成形された長尺状の基枠１２１を有しており、この基枠１２１が右枠部１０２の背面側に固定されることで、施錠装置１２０が内枠１２に取り付け固定されるようになっている。基枠１２１の一面側（内枠１２の外方となる側）には第１連動杆１２２が重なるようにして設けられるとともに、他面側（内枠１２の内方となる側）には第２連動杆１２３が同じく重なるようにして設けられている。第１連動杆１２２には上下２カ所にスリット部１２２ａが形成されており、そのスリット部１２２ａ内に、基枠１２１に設けたピン部材１２１ａを配することにより、該スリット部１２２ａの長さ分だけ第１連動杆１２２が上下方向に移動可能となっている。また、第２連動杆１２３には上下３カ所にスリット部１２３ａが形成されており（ただし図示の角度の関係上、１カ所のスリット部１２３ａのみを示す）、そのスリット部１２３ａ内に、基枠１２１に設けたピン部材１２１ｂを配することにより、該スリット部１２３ａの長さ分だけ第２連動杆１２３が上下方向に移動可能となっている。
【０１０６】
基枠１２１において第１連動杆１２２側には、鉤形状をなす上下一対の鉤金具１２５，１２６が設けられている。鉤金具１２５，１２６はその中間部分が基枠１２１に軸支されており、第１連動杆１２２が上方に移動することでその先端鉤部が下方に移動する構成となっている。鉤金具１２５，１２６の基端部（先端鉤部と反対側の部位）には、一端が基枠１２１に結合されたコイルバネ１２７，１２８が取り付けられており、コイルバネ１２７，１２８の付勢力によって、鉤金具１２５，１２６の基端部が下方に引き下げられるとともにそれと同時に第１連動杆１２２が下方に引き下げられ、図示する初期状態で保持されるようになっている。
【０１０７】
第１連動杆１２２には、下側の鉤金具１２６の上方に延出板部１２９が設けられている。この延出板部１２９は、鉤金具１２６の鉤凹部１２６ａの真上でこの鉤凹部１２６ａを塞ぐようにして設けられており、また外枠２に設けた鉤受け金具との位置関係で言えば該鉤受け金具の真上となる位置に延出板部１２９が設けられている。この場合、外枠２に対してドアブロック４が閉じた状態では、鉤金具１２６の鉤凹部１２６ａに外枠２側の鉤受け金具が入った状態となっており、延出板部１２９が外枠２側の鉤受け金具に当たることによって、第１連動杆１２２の下方向への移動が阻害されるようになっている。
【０１０８】
第２連動杆１２３には、鉤形状をなす上下一対の鉤金具部１３３，１３４が形成されている。また、基枠１２１には、第２連動杆１２３側に張り出しかつ第２連動杆１２３の鉤金具部１３３，１３４に重なるようにして上下一対の張出突片部１３１，１３２が形成されている。基枠１２１と第２連動杆１２３との間にはコイルバネ１３５が設けられており、コイルバネ１３５の付勢力によって、第２連動杆１２３が上方に引き上げられ、図示する初期状態で保持されるようになっている。
【０１０９】
かかる場合、図示する初期状態では、鉤金具部１３３，１３４の鉤凹部１３３ａ，１３４ａの底側縁部が張出突片部１３１，１３２の上側縁部とほぼ同じ高さとなっており、鉤金具部１３３，１３４の先端鉤部のみが張出突片部１３１，１３２の上側縁部よりも上方に突き出た状態となっている。したがって、仮に、鉤金具部１３３，１３４による相手側部材（具体的には払出ブロック６）との結合を不正に解除する目的で、鉤凹部１３３ａ，１３４ａにひもや針金などを引っ掛けて鉤金具部１３３，１３４を引き下げようとしても、張出突片部１３１，１３２によって、その引き下げが不可能となる。これにより、後述する払出ブロック６の不正開放が抑止されるようになっている。
【０１１０】
下側の張出突片部１３２には、下側の鉤金具部１３４の上方に延出板部１３２ａが設けられている。この延出板部１３２ａは、鉤金具部１３４の鉤凹部１３４ａの真上でこの鉤凹部１３４ａを塞ぐようにして設けられており、この延出板部１３２ａによって、鉤凹部１３４ａ内に鉤受け部材（具体的には払出ブロック６側の鉤受け部）が拘束された状態においてその鉤受け部材が容易に外れないようになっている。
【０１１１】
基枠１２１には、解錠操作部たるキーシリンダ１３７が設けられている。このキーシリンダ１３７は前後方向に延びる向きで設けられており、前扉体１１に内枠１２を組み付けた際にはシリンダ前面（キー挿入孔の設置側）が前扉体１１に設けたキーシリンダ設置穴６２から露出することとなる。なお、キーシリンダ１３７として、不正解錠防止機能の高いオムロック（登録商標）を用いる構成としても良い。
【０１１２】
次に、操作キーの回動操作に伴う施錠装置１２０の動作について図１４及び図１５を用いて説明する。図１４は、操作キーの回動操作により第１連動杆１２２を上動させ、それに伴い鉤金具１２５，１２６を係止解除状態とする状態を示している。また、図１５は、同じく操作キーの回動操作により第２連動杆１２３を下動させ、それに伴い鉤金具部１３３，１３４を係止解除状態とする状態を示している。
【０１１３】
図１４では、操作キー（図示略）をキーシリンダ１３７に差し込んで時計回り方向に回動操作している。すると、キーシリンダ１３７の回動操作に連動する下側の爪片１３７ａにより、コイルバネ１２７，１２８の付勢力に抗して第１連動杆１２２が上方に移動し、それに伴い鉤金具１２５，１２６の先端鉤部が下方に移動する。かかる場合、本遊技機１においては、外枠２に対してドアブロック４が閉じている状態で、鉤金具１２５，１２６と外枠２側の鉤受け金具との係止状態（すなわち施錠状態）が解除され、これにより、外枠２に対してドアブロック４が開放可能となる。その後、操作キーの回動操作を解除すると、コイルバネ１２７，１２８の付勢力により第１連動杆１２２や鉤金具１２５，１２６が初期状態に復帰する。
【０１１４】
一方、図１５では、操作キー（図示略）をキーシリンダ１３７に差し込んで反時計回り方向に回動操作している。すると、キーシリンダ１３７の回動操作に連動する上側の爪片１３７ｂにより、コイルバネ１３５の付勢力に抗して第１連動杆１２２及び第２連動杆１２３が下方に移動し、それに伴い鉤金具部１３３，１３４が下方に移動する。かかる場合、本遊技機１においては、ドアブロック４に対して払出ブロック６が閉じている状態で、鉤金具部１３３，１３４と払出ブロック６側の鉤受け部との係止状態（すなわち施錠状態）が解除される。そして、ドアブロック４に対して払出ブロック６が開放可能となる。その後、操作キーの回動操作を解除すると、コイルバネ１３５の付勢力により第２連動杆１２３が初期状態に復帰する。
【０１１５】
なお、外枠２に対してドアブロック４が閉じた状態では、鉤金具１２６の鉤凹部１２６ａに外枠２側の鉤受け金具が入った状態となっており、外枠２側の鉤受け金具によって、第１連動杆１２２の下方向の移動が阻害される。これにより、鉤金具部１３３，１３４と払出ブロック６側の鉤受け部との係止状態（すなわち施錠状態）が解除できないようになっている。
【０１１６】
図１１に示すように、下枠部１０４には、取込ユニット１６を収容するための取込ユニット収容部１４１が形成されている。詳細には、取込ユニット収容部１４１は下枠部１０４の一端側に形成されており、その上方には上皿ユニット１５の一端が位置している（図７参照）。取込ユニット収容部１４１は、取込ユニット１６を載置した状態で、その奥側（遊技機１で言えば前側）及び左右両側を囲むようにして保持するユニット保持部である。取込ユニット収容部１４１の底部には、取込ユニット１６にて取り込まれた遊技球を排出するための球排出室１４２が形成されており、球排出室１４２に回収された遊技球は図示しない排出通路を介して遊技機外部（遊技ホールの島設備など）に排出されようになっている。また、取込ユニット収容部１４１の左方（背面側から見て左方）には、取込ユニット１６に一旦は導かれそれ後下皿７１に排出される遊技球（すなわち、遊技者に返還される遊技球）を通過させるための排出通路１４３が形成されており、この排出通路１４３に流れ込む遊技球は、内枠１２の前面側に開口する開口部１４４及び前扉体１１の下皿排出口７４を経由して下皿７１に排出されるようになっている。また、取込ユニット収容部１４１の右方（背面側から見て右方）には、下皿７１に通じる下皿連通路１４５が形成されており、この下皿連通路１４５に流れ込む遊技球は、前記排出通路１４３に流れ込む遊技球と同様、内枠１２の開口部１４４及び前扉体１１の下皿排出口７４を経由して下皿７１に排出されるようになっている。
【０１１７】
下枠部１０４にはスピーカ１４６が設けられている。スピーカ１４６は、前記前扉体１１のスピーカ穴７５から前方に露出し、これにより音声が前方に発せられる。
【０１１８】
内枠１２の背面側において、その右上隅部とスピーカ１４６の側方部には、ドアブロック４の背面側に取り付けられる払出ブロック６を固定するための固定手段として鉤金具１４７，１４８が設けられている。
【０１１９】
（上皿ユニット１５の説明）
次に、上皿ユニット１５について説明する。図１６は上皿ユニット１５の前方から見た斜視図、図１７は上皿ユニット１５の後方から見た斜視図、図１８（ａ）は上皿ユニット１５の平面図、図１８（ｂ）はその底面図、図１９は上皿ユニット１５の分解斜視図である。
【０１２０】
上皿ユニット１５は、遊技に際し順次取り込まれる遊技球を一時的に貯留する機能を有する上皿１５１を有しており、その上皿１５１の上面側には各種カバー部材１５７，１５８，１５９が取り付けられている。また、上皿１５１の下面側には貸球操作装置１５３と排出操作伝達装置１５４と球留め装置１５５とが取り付けられている。
【０１２１】
図１８の（ａ）に示すように、上皿ユニット１５の上面側では、上皿１５１の奥側領域が第１カバー部材１５７及び第２カバー部材１５８により覆われ、さらに上皿１５１の手前側領域の一部が第３カバー部材１５９により覆われている。また、図１８の（ｂ）に示すように、上皿ユニット１５の下面側では、貸球操作装置１５３と排出操作伝達装置１５４とが上下に重なるようにして配設されるとともに、これら貸球操作装置１５３及び排出操作伝達装置１５４の後方側（図では下側）に球留め装置１５５が配設されている。
【０１２２】
（上皿１５１及び各種カバー部材１５７，１５８，１５９の説明）
次に、上皿１５１の構成について説明する。図２０は上皿１５１の斜視図であり、図２１は上皿１５１の平面図である。
【０１２３】
上皿１５１は、島設備の球貸し装置から貸し出された遊技球や、払出装置より払い出された遊技球を一旦貯留するための受け皿部材を構成するものであり、底板部１６１とその周縁部を囲む周壁部１６２とにより横長の樋状に成形されている。これら底板部１６１と周壁部１６２とにより囲まれて遊技球貯留領域が形成されている。周壁部１６２のうち奥側壁部１６６は透明パネル１３よりも奥側に位置しており、奥側壁部１６６には正面から見て左側の位置に排出口１６３が設けられている。また、底板部１６１には、正面から見て右側の位置に開口部１６４が設けられている。本上皿１５１では、底板部１６１の傾斜方向が大別して手前側領域Ａ１と奥側領域Ａ２とで異なっており、手前側領域Ａ１は概して奥側領域Ａ２に向けて低位となるよう傾斜し、奥側領域Ａ２は概して排出口１６３から開口部１６４に向けて低位となるよう傾斜している。したがって、排出口１６３から遊技球が排出されると、その遊技球は最終的に開口部１６４に向けて流れる。
【０１２４】
奥側壁部１６６は、概ね遊技球４個分から５個分の高さ寸法を有しており、遊技球貯留領域の容量が確保されている。但し、開口部１６４付近においては周囲の壁部に比べ背が低くなった低位部１６６ａが設けられている。低位部１６６ａが設けられていることにより、上皿１５１の掃除などといったメンテナンスに際して、その作業性が向上されている。これについては後に説明する。
【０１２５】
周壁部１６２のうち手前側の壁部には、奥側に凹んだ形状をなす凹部１６５が形成されており、その凹部１６５により、本上皿ユニット１５を前扉体１１に組み付けた際においてベットスイッチ取付板部３２と上皿１５１との干渉が回避されるようになっている。
【０１２６】
上皿１５１の奥側領域Ａ２であってその最下流部には、底板部１６１より隆起した２つの仕切部１６７，１６８が設けられており、この仕切部１６７，１６８に仕切られることで三列の案内通路１７１，１７２，１７３が形成されている。これら各案内通路１７１〜１７３は、前記開口部１６４に通ずるように設けられており、遊技球を各一列に整列するための整列通路部を構成する。また、各案内通路１７１〜１７３は、それぞれ５個分以上の遊技球が整列可能な通路長を有している。開口部１６４の下方には取込ユニット１６が位置している。取込ユニット１６は、後述するように３個の取込装置３０１〜３０３がユニット化されてなり、各案内通路１７１〜１７３を通過した遊技球はそれぞれ対応する各取込装置３０１〜３０３に導入される。
【０１２７】
取込ユニット１６は、上記のとおり３個の取込装置３０１〜３０３がユニット化されてなるため、前後方向に所定の厚みを有している。したがって、各案内通路１７１〜１７３を前後方向に離間させて設定する必要があるため、各仕切部１６７，１６８の下流部１６７ａ，１６８ａは前後方向の寸法が大きくなっている。但し、各仕切部１６７，１６８は、奥側領域Ａ２の上流側から流下してきた遊技球を各案内通路１７１〜１７３に分岐させる必要があるため、各仕切部１６７，１６８の上流部１６７ｂ，１６８ｂは鋭角状をなしている。つまり、各仕切部１６７，１６８は、上流部１６７ｂ，１６８ｂに向けて先細り形状をしている。ちなみに、下流部１６７ａ，１６８ａの上面は下流側端部に向けて下り傾斜しており、さらに同端部付近には上下方向に貫通した貫通孔１６７ｃ，１６８ｃが形成されている。
【０１２８】
上皿１５１は、上述したように、その奥側壁部１６６が透明パネル１３よりも奥側に位置するように配置されており、各案内通路１７１〜１７３が形成された上皿１５１の奥側領域Ａ２はその全体が透明パネル１３よりも奥側に入り込んでいる。これにより、上皿１５１の出口通路を構成する各案内通路１７１〜１７３が奥まった位置に配置され、各案内通路１７１〜１７３を介して取込ユニット１６に不正用冶具を挿入しようとする不正行為が行いづらくなっている。また、かかる構成において、上皿１５１の奥側領域Ａ２の上方を覆う第１カバー部材１５７及び第２カバー部材１５８が設けられていることにより、前扉体１１の前面と上皿１５１の奥側端部との間にて遊技機１内部が遊技機前方に開放されないようになっている。
【０１２９】
ここで、これら第１カバー部材１５７及び第２カバー部材１５８について図２２〜図２５等を用いて説明する。図２２は上皿ユニット１５を後方から見た分解斜視図であり、図２３は一部破断面を含む遊技機１の側面図であり、図２４は図２３の部分拡大図であり、図２５は第２カバー部材１５８の正面図である。
【０１３０】
第１カバー部材１５７及び第２カバー部材１５８はいずれもアクリル樹脂やポリカーボネート樹脂等の透明性を有する合成樹脂材料にて形成されている。第１カバー部材１５７は左右方向の幅寸法が上皿１５１と略同一であって前後方向の幅寸法が上皿１５１よりも短い横長板状をなし、その外縁に形成された３つの貫通孔２３１を介して上皿１５１の周壁部１６２にビス止めされている。第１カバー部材１５７の手前側端部２３２は上方へ若干隆起しており、この手前側端部２３２には前後方向に貫通する貫通孔２３３が所定間隔を置いて３カ所に形成されている。手前側端部２３２は、図２３及び図２４に示すように、ドアブロック４の横長窓部５０の下端に背面側から当接しており、貫通孔２３３を介してビス止めされている。
【０１３１】
第１カバー部材１５７には、各案内通路１７１〜１７３の上方部位に第２カバー部材１５８の上端縁に沿った開口部２３４が形成されている。詳細には、開口部２３４は第２カバー部材１５８の上端縁における手前側及び左右両側に沿って形成されており、開口部２３４の左右両縁は奥側においては繋がっていない。つまり、開口部２３４は第１カバー部材１５７の奥側端部から手前側に切り欠くようにして形成されている。この開口部２３４に嵌め込むようにして上方に開放された箱形状をなす第２カバー部材１５８が配置されている（図１６及び図１７を参照）。この場合に、図２２に示すように、第１カバー部材１５７には開口部２３４から開口内側へ若干突出した一連の支持枠部２３５が一体形成されており、これに対応して第２カバー部材１５８の上端縁には外方に延出されたフランジ部２４１が一体形成されている。フランジ部２４１は、奥側の一部を除いて上端縁の全体に亘って設けられている。そして、支持枠部２３５上にフランジ部２４１が載ることで、第１カバー部材１５７に第２カバー部材１５８が支持されている。また、フランジ部２４１における支持枠部２３５上に載らない部分、すなわち、奥側部分には下方に開放された溝２４１ａが設けられており、当該溝２４１ａ内に上皿１５１の奥側壁部１６６の上端が入り込んでいる。つまり、第２カバー部材１５８は第１カバー部材１５７と上皿１５１とにより支持されている。
【０１３２】
第２カバー部材１５８の上方には面替えブロック５が位置しており、第２カバー部材１５８のフランジ部２４１はすべて面替えブロック５の下壁部５５７と当接している。そして、図２４に示すように、第２カバー部材１５８のフランジ部２４１は、上側から面替えブロック５の下壁部５５７により下側から第１カバー部材１５７の支持枠部２３５及び上皿１５１の奥側壁部１６６の双方により挟持されている。これにより、第２カバー１５８が上皿１５１に固定されている。したがって、第２カバー部材１５８は、ドアブロック４から面替えブロック５を後方に回動させない限り取り外すことはできず、面替えブロック５を回動させることでネジやビス等といった固定具の固定解除操作を行うことなく取り外すことができる。
【０１３３】
第２カバー部材１５８の奥壁部２４２には、図２２等に示すように、前後方向に撓む板バネ部２４３が一体形成されており、当該板バネ部２４３の下端寄りの位置には奥側へ突出した引掛け部２４４が一体形成されている。また、この引掛け部２４４に対応させて上皿１５１の低位部１６６ａには、引掛け受け部１６６ｂが一体形成されている。したがって、第２カバー部材１５８を第１カバー部材１５７に支持させることで、引掛け受け部１６６ｂに引掛け部２４４が引っ掛かり第２カバー部材１５８が上皿１５１に対して仮止めされる。また、第２カバー部材１５８の奥側隅部にはフック受け２４５が一体形成されており、当該フック受け２４５により面替えブロック５の後述する係合フック部材５３２が回動しないようになっている。
【０１３４】
以上のように第１カバー部材１５７及び第２カバー部材１５８が設けられていることにより、図２３及び図２４に示すように、ドアブロック４の横長窓部５０と上皿１５１の奥側壁部１６６とが第１カバー部材１５７及び第２カバー部材１５８を介して連結され、両者の間にて遊技機１内部が遊技機前方に開放されないようになっている。仮に、両者の間にて遊技機１内部が遊技機前方に開放された構成であると、上皿１５１の手前側から奥側に入れた指や不正用冶具等が上皿奥側の上方開放部分を通じて遊技機１内部に差し入れられ、その遊技機内部において不正行為などが行われるといった不都合の発生が懸念される。これに対して、上記のとおり第１カバー部材１５７及び第２カバー部材１５８が設けられていることにより、指や不正用冶具等を上皿１５１を通じて遊技機１内部に差し入れることによる不正行為が抑制できる。
【０１３５】
第２カバー部材１５８は、上述したとり上方に開放された箱形状をなしており所定の高さを有している。この第２カバー部材１５８の底壁部２４６により上皿１５１の開口部１６４と各案内通路１７１〜１７３の一部とが上方から覆われている。この場合に、図２４に示すように、第２カバー部材１５８の底壁部２４６は開口部１６４に向けて低位となるよう傾斜しており、第２カバー部材１５８の底壁部２４６と各案内通路１７１〜１７３の底面１７１ａ〜１７３ａとの間の距離Ｈは遊技球の直径Ｒに対してＲ＜Ｈ≒１．１Ｒ＜２Ｒの関係にある。つまり、第２カバー部材１５８は、各案内通路１７１〜１７３の高さ方向の寸法を概ね遊技球１個分に規制するための通路高さ規制部材としても機能している。よって、各案内通路１７１〜１７３において遊技球が積み重なるのが防止され、各案内通路１７１〜１７３を遊技球が円滑に流下する。
【０１３６】
底壁部２４６は、図２４に示すように、仕切部１６７，１６８の上面と当接しておらず、両者の間には若干の隙間が設けられている。これにより、第１カバー部材１５７と面替えブロック５とにより挟持された際に第２カバー部材１５８が下方に沈んだとしても、底壁部２４６と仕切部１６７，１６８とに負荷がかかることはなく底壁部２４６及び仕切部１６７，１６８の破損が防止されている。また、底壁部２４６は、仕切部１６７，１６８の途中位置から遊技球流下方向下流側に向けて延びており、仕切部１６７，１６８の上流部１６７ｂ，１６８ｂの端部側は底壁部２４６により覆われていない。但し、上流部１６７ｂ，１６８ｂにおけるその覆われていない部位の上方には第２カバー部材１５８の上壁部２４７が位置している。
【０１３７】
各案内通路１７１〜１７３の上方が第２カバー部材１５８により覆われた構成において、上述したように第２カバー部材１５８は透明性材料により上方に開放された箱形状に形成されている。さらに、透明パネル１３と上皿１５１との間には透明パネル１３よりも後退させて横長窓部５０が設けられている。そして、この後退した位置は、当該遊技機１において遊技を行う一般的な遊技者の視点ＰＶ１，ＰＶ２，ＰＶ３と、奥側の案内通路１７３とを結んだ仮想ライン（図２３の一点鎖線）よりも奥側となっている。これにより、透明パネル１３の前方にある遊技者の視点からであっても、奥まった位置にある各案内通路１７１〜１７３等の上皿１５１の奥側領域Ａ２が視認可能となっている。また、透明パネル１３よりも後退させて横長窓部５０を設けた構成において、横長窓部５０は各案内通路１７１〜１７３よりも手前側に位置している。すなわち、各案内通路１７１〜１７３は奥まった位置にあり、上記不正行為の抑止効果は消失されない。
【０１３８】
また、第２カバー部材１５８の底壁部２４６には、図２５に示すように、下方に突出した２つの挿入用突起２４８と、挿入用突起２４８よりも遊技球流下方向下流側の位置にて同じく下方に突出した２つのガイド用突起２４９とが一体形成されている（図２５においては手前側の挿入用突起２４８及びガイド用突起２４９のみ示す）。挿入用突起２４８は円柱状をなしているのに対して、ガイド用突起２４９は下方に向けて先細り形状をしている。ガイド用突起２４９についてより詳細には、同突起２４９の先細り部分は、遊技球流下方向の上流側面２４９ａが通路方向に対して垂直面となっており、下流側面２４９ｂが通路方向に対して傾斜面となっている。
【０１３９】
これら挿入用突起２４８及びガイド用突起２４９により、第２カバー部材１５８の上皿１５１への配置を容易に行うことができる。ここで、この配置作業の概要について図２６を用いて説明する。図２６（ａ）は第２カバー部材１５８を配置している途中の状態を示し、図２６（ｂ）は第２カバー部材１５８の配置が完了した状態を示す。なお、図２６においては上皿１５１の下面側に取り付けられる排出操作伝達装置１５４や球留め装置１５５を省略して示す。また、以下の説明では、手前側の仕切部１６７に関して説明するが、奥側の仕切部１６８についても同様である。
【０１４０】
図２６（ａ）に示すように、第２カバー部材１５８の上皿１５１への配置作業は、第２カバー部材１５８の上壁部２４７を持って第１カバー部材１５７の開口部２３４に対して右方向（案内通路１７１〜１７３における遊技球流下方向）に挿し込むことにより行われる。この際、ガイド用突起２４９を仕切部１６７における上流部１６７ａの傾斜に沿って滑らせることで第２カバー部材１５８の挿し込み方向への移動がガイドされる。そして、第２カバー部材１５８を挿し込んでいくと、図２６（ｂ）に示すように、第２カバー１５８の下流側端面２５０が上皿１５１の周壁部１６２に当接することでその挿し込み方向の移動が規制される。この規制された位置にて第２カバー部材１５８を上皿１５１及び第１カバー部材１５７に支持させることにより、挿入用突起２４８が仕切部１６７の貫通孔１６７ａに挿入され、さらにガイド用突起２４９の上流側面２４９ａが仕切部１６７の下流側端面１６７ｄに当接した状態となり、上皿１５１に対して第２カバー部材１５８が位置決めされる。
【０１４１】
ここで、挿入用突起２４８の挿入部が貫通孔１６７ｃ，１６８ｃとして設けられていることにより、第１カバー部材１５７と面替えブロック５とにより挟持された際に第２カバー部材１５８が下方に沈んだとしても、挿入用突起２４８の先端が挿入部に当たることはなく挿入用突起２４８の破損が防止されている。なお、図２５に示すように、底壁部２４６における挿入用突起２４８の周囲には突条部２４８が一体形成されており、第２カバー部材１５８に対して極端に大きな負荷が加えられ当該第２カバー部材１５８が大きく沈んだとしても突条部２４８が仕切部１６７，１６８に当たり、各案内通路１７１〜１７３の高さ寸法が遊技球１個分未満となってしまうことが防止されている。
【０１４２】
上皿１５１において三列の案内通路１７１〜１７３の手前側には、貸球操作装置１５３等を設置するための貸球操作装置設置部１７５が設けられている。貸球操作装置設置部１７５には、左右２つの円形凹部１７６，１７７と矩形状の窓部１７８とが形成されている。
【０１４３】
図１９に示すように、貸球操作装置１５３は、操作装置基板１８１と、その操作装置基板１８１を設置するための台板１８２とを備えており、台板１８２上に操作装置基板１８１を設置することにより、貸球操作装置１５３が構成されている。
【０１４４】
貸球操作装置１５３は、例えば本遊技機１の側方（例えば左方）に配置された縦長のカードユニット（球貸しユニット）に紙幣やカード等を投入した状態で、球貸し操作、カード等の返却操作及び有効度数の確認を行うものであり、操作装置基板１８１上には、球貸しボタン１８３と返却ボタン１８４と度数表示部１８５とが一体的に並設されている。この場合、球貸しボタン１８３は、カード（記録媒体）等に記録された情報に基づいて貸出球を得るために操作されるものであり、カード等に残額が存在する限りにおいて貸出球が払い出される。返却ボタン１８４は、カードユニットに挿入されたカード等の返却を求める際に操作される。度数表示部１８５にはカードの残額情報や投入金額などが表示される。
【０１４５】
貸球操作装置設置部１７５に貸球操作装置１５３が設置されていることにより、貸球操作装置設置部１７５の窓部１７８から度数表示部１８５が視認できるようになっている。貸球操作装置設置部１７５の円形凹部１７６，１７７には各々半球状をなす押しボタン部材１８６，１８７が取り付けられており、押しボタン部材１８６，１８７が押し操作されることにより間接的に球貸しボタン１８３や返却ボタン１８４が押され、それに伴い遊技球の貸し出しやカード等の返却などが適宜実施されるようになっている。
【０１４６】
貸球操作装置１５３の度数表示部１８５を保護するようにして、貸球操作装置設置部１７５には第３カバー部材１５９が被せられている。第３カバー部材１５９はアクリル樹脂やポリカーボネート樹脂等の透明性を有する合成樹脂材料にて成形されているため、度数表示部１８５上に第３カバー部材１５９が被せられてもその度数表示等が視認可能となっている。また、第３カバー部材１５９には円形の孔部２５１が２つ形成されており、これら孔部２５１を介して押しボタン部材１８６，１８７が露出されている。これにより、押しボタン部材１８６，１８７の押し操作が可能となっている。なお、第３カバー部材１５９の手前側端部には当該第３カバー部材１５９を上皿１５１に固定するための一対の固定フック２５２が一体形成されている。
【０１４７】
（排出操作伝達装置１５４の説明）
次に、排出操作伝達装置１５４について説明する。この排出操作伝達装置１５４は、後述する取込ユニット１６の排出ゲート部材３４０を操作して上皿１５１内の貯留球を下皿７１に排出するための球抜き操作装置であり、その詳細な構成を図２７及び図２８に示す。
【０１４８】
図２７及び図２８に示すように、排出操作伝達装置１５４において、ケース体１９１には２つの軸部１９２，１９３が設けられており、その軸部１９２，１９３にはそれぞれ第１リンク片１９４と第２リンク片１９５とが回動可能に支持されている。これら第１，第２リンク片１９４，１９５は各々の一部分が互いに連結されており、第１リンク片１９４に連動して第２リンク片１９５が回動する。第１リンク片１９４には引張バネ１９６が設けられており、第１リンク片１９４は引張バネ１９６のバネ力により常に同方向（図では反時計回り方向）に付勢されている。また、ケース体１９１の手前側端面には、左右方向に移動可能な操作レバー１９８が設けられており、この操作レバー１９８に一体に設けられた支柱部１９８ａが第１リンク片１９４に設けられた孔部１９４ａに挿通されている。故に、操作レバー１９８のスライド操作に伴い第１リンク片１９４が軸部１９２を中心に回動する。
【０１４９】
上記構成の排出操作伝達装置１５４では、遊技者等により操作レバー１９８が図示の位置から左方（図２８のＰ１方向）にスライド操作されることにより、第１リンク片１９４が引張バネ１９６のバネ力に抗して図の時計回り方向（図２８のＰ２方向）に回動するとともに、第２リンク片１９５が反時計回り方向に回動（図２８のＰ３方向）する。これにより、第２リンク片１９５の回動先端部が後方側（図２８のＰ４方向）へと移動する。また、操作レバー１９８の操作が解除されると、引張バネ１９６のバネ力により第１リンク片１９４が図の反時計回り方向に回動するとともに、第２リンク片１９５が時計回り方向に回動する。これにより、排出操作伝達装置１５４が元の状態に復帰する。こうした排出操作伝達装置１５４の動作により、後述する取込ユニット１６の排出ゲート部材３４０が操作され、取込ユニット１６を介しての遊技球の排出（実際には遊技球の下皿７１への排出）が行われるようになっている。
【０１５０】
（球留め装置１５５の説明）
次に、球留め装置１５５について説明する。この球留め装置１５５は、上皿１５１の下方に設置される取込ユニット１６が取り外された際において上皿１５１から遊技球がこぼれ落ちるのを防止するための遊技球落下防止装置であり、その詳細な構成を以下に説明する。図２９は球留め装置１５５の分解斜視図、図３０は球留め装置１５５の単体構成を示す平面図、図３１は取込ユニット１６を上皿１５１下方に装着した状態及び分離させた状態を後方側から示す背面図である。なお、球留め装置１５５の動作状態として、図３０の（ａ）と図３１の（ａ）とが対応し、図３０の（ｂ）と図３１の（ｂ）とが対応している。
【０１５１】
球留め装置１５５は、上皿１５１の下面に固定される本体部２１１と、該本体部２１１上に載置され図３０の上下方向に往復動可能な可動部２１２と、可動部２１２を同上下方向に往復動させるべく回動操作される操作レバー２１３とを有している。そして、この球留め装置１５５は、操作レバー２１３が遊技機後方になるようにして上皿１５１に組み付けられている。
【０１５２】
可動部２１２には、同一方向に並ぶようにして３つのアーム部２１４，２１５，２１６が形成されている。各アーム部２１４〜２１６はそれぞれ二股に分岐されており、その先端には上方（図３０では紙面手前側）に折れ曲がるようにして起立する各２個ずつの起立部２１７，２１８，２１９が形成されている。可動部２１２に形成された各アーム部２１４〜２１６の間隔は、前記上皿１５１に形成した３つの案内通路１７１〜１７３に合致しており、各アーム部２１４〜２１６の起立部２１７〜２１９は、上皿１５１の各案内通路１７１〜１７３に通じる開口部１６４から現出するようになっている。また、可動部２１２の下面側には、操作レバー２１３と同方向に延びる溝部２２０が形成されている。
【０１５３】
操作レバー２１３は、その軸部２２１が本体部２１１に支持されており、概ね９０度の角度範囲内で回動操作可能となっている。軸部２２１には、その軸心から９０度の角度で放射状に延びる突起片２２２ａ，２２２ｂが形成されており、その突起片２２２ａ，２２２ｂが可動部２１２に形成された溝部２２０内に収容されている。溝部２２０の左右方向の幅は、ほぼ軸部２２１の直径と突起片２２２ａ又は２２２ｂの長さとを合わせた寸法となっている。この場合、図３０の（ａ），図３１の（ａ）の状態では一方の突起片２２２ａの先端が溝部２２０の内壁に当たり、操作レバー２１３の回動操作によって図３０の（ｂ），図３１の（ｂ）の状態に移行すると、他方の突起片２２２ｂの先端が溝部２２０の内壁に当たることとなる（便宜上、図３０，図３１では突起片２２２ａ，２２２ｂに点ハッチを付している）。これにより、可動部２１２が左右方向に移動する。図３０で言えば、可動部２１２の左右方向の移動によって、可動部２１２の各アーム部２１４〜２１６の先端突出量が（ａ），（ｂ）で異なるものとなっている。（ａ）では先端突出量＝Ｌ１であるのに対し、（ｂ）では先端突出量＝Ｌ２となっている（Ｌ１＜Ｌ２）。
【０１５４】
操作レバー２１３には、取込ユニット１６がドアブロック４（詳細には内枠１２）に装着された状態で保持するためのホールド板片２２４が設けられている。このホールド板片２２４は、軸部２２１の軸心から延びる舌形状をなすものであり、操作レバー２１３が回動操作されることにより、ホールド板片２２４が図３１の（ａ），（ｂ）に示す各位置に操作されるようになっている。
【０１５５】
ここで、操作レバー２１３の操作位置と取込ユニット１６との相互の関係を説明する。操作レバー２１３が図３１の（ａ）に示す状態にある場合、操作レバー２１３に一体的に設けられたホールド板片２２４の回動先端部が取込ユニット１６の背面に当たっている。これが取込ユニット保持位置（ロック位置）である。この状態では、取込ユニット１６がドアブロック４（詳細には内枠１２）に装着された状態で保持され、取込ユニット１６の取り外しができないようになっている。これに対し、操作レバー２１３が図３１の（ｂ）に示す状態に移行すると、ホールド板片２２４の回動先端部が取込ユニット１６の背面に当たる状態が解除される。これが取込ユニット取り外し位置（アンロック位置）である。これにより、取込ユニット１６の取り外しが可能となっている（図３１の（ｂ）には取込ユニット１６を取り外した状態を図示している）。
【０１５６】
図３２には、球留め装置１５５の操作状態と遊技球の流れとの関係を示す。図３２において、（ａ）は通常の遊技状態を示しており、当該状態は前記図３０の（ａ）や前記図３１の（ａ）の状態に対応している。また、（ｂ），（ｃ）は取込ユニット１６の取り外し可能状態及び取り外し後状態を示しており、当該状態は前記図３０の（ｂ）や前記図３１の（ｂ）の状態に対応している。
【０１５７】
図３２の（ａ）の状態では、前記図３０の（ａ）に示したとおり可動部２１２の各アーム部２１４〜２１６の先端突出量が比較的少なく、それ故に上皿１５１の案内通路１７１〜１７３から供給される遊技球の流れが阻止されることはない。したがって、遊技球が次々と取込ユニット１６側に送り込まれる。
【０１５８】
これに対し、図３２の（ｂ）の状態では、前記図３０の（ｂ）に示したとおり可動部２１２の各アーム部２１４〜２１６の先端突出量が比較的大きく、それ故に上皿１５１の案内通路１７１〜１７３から供給される遊技球の流れが各アーム部２１４〜２１６の先端部（起立部２１７〜２１９）で阻止される。この状態では、遊技球が取込ユニット１６側に送り込まれることがないため、（ｃ）に示すように、取込ユニット１６を取り外したとしても、上皿１５１内の遊技球が落下することが防止される。
【０１５９】
（取込ユニット１６の説明）
取込ユニット１６は、遊技者による操作に基づき遊技球を所定個数ずつ取り込むための取込手段を構成するものであり、該取込ユニット１６による所定個数分の遊技球の取込により毎回の遊技（ゲーム）の開始条件が成立し、遊技開始の準備が整えられるようになっている。
【０１６０】
図３３は取込ユニット１６を手前側から見た斜視図、図３４は同取込ユニット１６を後方側から見た斜視図、図３５は同取込ユニット１６の分解斜視図である。取込ユニット１６には３個の取込装置３０１，３０２，３０３が重なるようにして設けられており、取込ユニット１６は全体として略立方体形状となっている。以下の説明では、図３３において手前側に位置する取込装置３０１を「第１取込装置」、中央に位置する取込装置３０２を「第２取込装置」、奥側に位置する取込装置３０３を「第３取込装置」とも言うこととする。
【０１６１】
各取込装置３０１〜３０３の上面には、入口通路３０５，３０６，３０７が形成されており、これら入口通路３０５〜３０７が取込ユニット１６における遊技球入口部を構成する。取込ユニット１６は、各入口通路３０５〜３０７が上皿１５１に設けられた各案内通路１７１〜１７３と直接連通するように配置されている。従って、上皿１５１から供給される遊技球は入口通路３０５〜３０７に直接案内される。そして、その後一列に並んだ状態で順次取り込まれる。各取込装置３０１〜３０３の側面にはこれらを結合させるための結合ケース部材３０８が取り付けられている。結合ケース部材３０８内には、本取込ユニット１６における電気配線等を一括して集め、主制御装置等に対して電気的に接続可能とする取込ユニット中継基板３０９が収容されている。
【０１６２】
（取込装置３０１〜３０３の説明）
次に、各取込装置３０１〜３０３の構成を説明する。ただし、各取込装置３０１〜３０３は、概ね同様の構成をしているため、ここでは基本的に第３取込装置３０３を例に挙げて説明する。図３６は、取込装置３０３の内部構造を示す断面図、図３７は、取込装置３０３を分解して示す斜視図である。なお、以下の説明では便宜上、図３６に示す状態で上下左右の各方向を記載する。
【０１６３】
取込装置３０３は、合成樹脂成型品よりなる表裏一対のハウジング部材３１１，３１２を備えている。これら両ハウジング３１１，３１２がネジ等により結合されることにより略四角箱状の筐体が形成され、その内部空間に、後述する遊技球通路が形成されるとともに該通路を開閉するための開閉ゲート機構などが収容されるようになっている。各ハウジング３１１，３１２は、カーボン入りの黒色の樹脂材料により成型されている。以下説明の便宜上、ハウジング部材３１１を「第１ハウジング」、ハウジング部材３１２を「第２ハウジング」ともいう。
【０１６４】
第１ハウジング３１１及び第２ハウジング３１２の上面部には、それぞれ遊技球１個分よりも若干低い通路壁３１３，３１４が形成されており、両ハウジング３１１，３１２を結合させることで、相対向する通路壁３１３，３１４の間に前記入口通路３０７が形成されている。すなわち、入口通路３０７は、上壁が除去されている。かかる構成であることにより、入口通路３０７は、上方に開放されてハウジング外部に露出した状態となっている。
【０１６５】
ここで、取込ユニット１６は、図３８に示すように、入口通路３０５〜３０７が上皿１５１に形成された開口部１６４からなる開放領域の下方に配置されている。そして、上述したとおり、開口部１６４は第２カバー部材１５８により覆われている。従って、各入口通路３０５〜３０７の上面開放側は、図３２（ａ）等に示すように、第２カバー部材１５８により覆われている。この場合に、図３２（ａ）に示すように、入口通路３０５〜３０７の底面と第２カバー部材１５８の底壁部２４６との間の間隔が概ね遊技球１個分となる。これにより、各入口通路３０５〜３０７の高さ方向の寸法が概ね遊技球１個分に規制され、各入口通路３０５〜３０７において遊技球が１つずつ流下するようになっている。また、上述したとおり、第２カバー部材１５８は透明性材料により上方に開放された箱形状に形成されており、さらに図２４に示したように、開口部１６４を含めた上皿１５１の奥側領域Ａ２が視認可能なように横長窓部５０も後退させて設けられていることにより、入口通路３０５〜３０７内が視認可能となっている。入口通路３０５の底面は図３６の左側に向けて僅かに下り傾斜している。
【０１６６】
取込装置３０３には、前記入口通路３０７の下流側において、第１ハウジング３１１と第２ハウジング３１２とにより囲まれるようにして取込通路３１５と排出通路３１６とが設けられている。これら取込通路３１５及び排出通路３１６は、入口通路３０７と同様に、遊技球を一列で通過させるに足りる通路幅を有する。取込通路３１５は、入口通路３０７に連続して設けられ、その途中にて鉛直方向に折れ曲がるようにして形成されている。遊技者により所定の遊技開始操作が行われた際、毎回の遊技の開始条件とされる所定個数の遊技球がこの取込通路３１５を通じて取り込まれる。また、排出通路３１６は、取込通路３１５の折れ曲がり部分（コーナー部分）から当該取込通路３１５より分岐して設けられている。遊技終了に伴う精算時などにおいては、本取込装置３０３や上皿１５１に残留している遊技球がこの排出通路３１６を通じて遊技者に返還される（すなわち、上皿１５１等の球抜きが行われる）。
【０１６７】
なお、第１ハウジング３１１と第２ハウジング３１２は、厚さ方向の寸法が異なるものとなっており、入口通路３０７、取込通路３１５及び排出通路３１６は、大部分が第１ハウジング３１１側に形成されるようになっている。これにより、遊技球が実際に接触する経路は、両ハウジング３１１，３１２の境界部分（接合部分）から外れた部位となり、境界部分に溜まったゴミやほこり等により遊技球の流れが阻害されるといった不都合が回避されるようになっている。
【０１６８】
また、第１，第２ハウジング３１１，３１２には、入口通路３０７及び取込通路３１５に沿って一筋の突条部３１７が設けられている。この突条部３１７は、入口通路３０７及び取込通路３１５を通過する遊技球の外周面に接触するようにして通路の中央部（入口通路３０７にあっては上下幅方向の中央部、取込通路３１５にあっては左右幅方向の中央部）に設けられている。突条部３１７の高さ（通路内部への突出寸法）は０．５ｍｍ程度であり、これにより入口通路３０７及び取込通路３１５の通路幅が狭められるようになっている。つまり、入口通路３０７及び取込通路３１５は基本的に通路幅が１２ｍｍ程度であるが、突条部３１７を設けることにより、実質的な通路幅が１１．５ｍｍ程度に狭められている。これにより、入口通路３０７及び取込通路３１５の内壁と遊技球との隙間間隔（遊び）を減らすことができ、安定した状態で遊技球が流下することとなる。特に、取込通路３１５においては、後述する遊技球検出が行われるため、その検出ミスを低減させることができる。ただし、突条部３１７は、第１，第２ハウジング３１１，３１２のいずれか一方にのみ設けられる構成であっても良い。前記整流部における突条部３１７の設置は任意である。
【０１６９】
ハウジング内部空間において取込通路３１５の側方には、当該取込通路３１５の鉛直方向部分に沿うようにして取込ゲート部材３２０が設けられている。取込ゲート部材３２０は、支軸３２１により回動可能に支持されており、その支軸３２１を支点とする回動により、該取込ゲート部材３２０の先端部に設けた爪部３２０ａが取込通路３１５に対して出没する。このとき、取込通路３１５の通路壁には通路切欠部３２２が形成されており、その通路切欠部３２２を介して取込ゲート部材３２０の爪部３２０ａが出没する。取込通路３１５に対して取込ゲート部材３２０の爪部３２０ａが突出した状態である場合、取込通路３１５を介しての遊技球の通過が阻止される。また、取込通路３１５に対して取込ゲート部材３２０の爪部３２０ａが没入した状態である場合、取込通路３１５を介しての遊技球の通過が許容される。
【０１７０】
かかる場合、取込ゲート部材３２０の爪部３２０ａの出没位置が取込通路３１５におけるコーナー部分の直ぐ下流位置であるため、換言すれば通路切欠部３２２が取込通路３１５におけるコーナー部分の直ぐ下流位置に形成されているため、取込ゲート部材３２０の爪部３２０ａが通路内に突出した状態（通過阻止状態）において、取込通路３１５のコーナー部まで流れてきた遊技球が該取込通路３１５の鉛直部分に流れ込むことがない構成となっている。
【０１７１】
ハウジング内部空間には、取込ゲート部材３２０の駆動源としてソレノイド３２５が配設されている。ソレノイド３２５は、通電により伸縮方向に移動する出力軸３２５ａを有しており、当該ソレノイド３２５は、取込ゲート部材３２０の右方において出力軸３２５ａが下方へと突き出るように配設されている。また、ソレノイド３２５の出力軸３２５ａには、当該出力軸３２５ａを伸長状態で保持するためのコイルバネ３２６が設けられている。ソレノイド３２５は、ソレノイドカバー３２７によって第１ハウジング３１１に固定されている。
【０１７２】
ソレノイド出力軸３２５ａの先端部にはガイド３３１が取り付けられている。ガイド３３１には回動片３３２の一部が係合されており、同回動片３３２の他部が取込ゲート部材３２０の後端部に駆動連結されている。符号３３３は、回動片３３２のほぼ中央部に設けられ該回動片３３２を回動可能に支持する支軸である。
【０１７３】
本構成によれば、ソレノイド３２５への通電がない場合には、図示の如くコイルバネ３２６の付勢力によって出力軸３２５ａが伸長した状態で保持され、取込ゲート部材３２０の爪部３２０ａが取込通路３１５内に突出した状態とされる。これにより、取込通路３１５が閉鎖される。一方、ソレノイド３２５が通電されると、コイルバネ３２６の付勢力に抗して出力軸３２５ａが縮み方向に移動する。よって、ガイド３３１及び回動片３３２を介して取込ゲート部材３２０が回動し（図３６では時計回り方向に回動し）、取込ゲート部材３２０の爪部３２０ａが取込通路３１５外に引っ込んだ状態とされる。これにより、取込通路３１５が開放される。また、ソレノイド３２５への通電を中止すると、コイルバネ３２６の付勢力によって出力軸３２５ａが伸長状態となり、取込ゲート部材３２０の爪部３２０ａが取込通路３１５内に突出した状態に戻る。
【０１７４】
一方、第１，第２ハウジング３１１，３１２において排出通路３１６の入口位置には、それぞれ貫通孔３３７，３３８が設けられており、その貫通孔３３７，３３８を前後方向に貫通するようにして排出ゲート部材３４０が設けられている。排出ゲート部材３４０は、取込装置３０１〜３０３に個別に設けられるのではなく、全取込装置３０１〜３０３に共通に設けられるものとなっており、該排出ゲート部材３４０の作動状態によって、各取込装置３０１〜３０３において同時に遊技球の排出（球抜き）が許容又は阻止されるようになっている。
【０１７５】
ここで、排出ゲート部材３４０の詳細を図３９に基づいて説明する。排出ゲート部材３４０は、全体として略長方形状をなしており、３カ所に略正方形状の開口部３４１，３４２，３４３が形成されている。これら開口部３４１〜３４３は各取込装置３０１〜３０３に設けられた排出通路３１６にそれぞれ対応するものであり、一定間隔を隔ててそれぞれ設けられている。なお、開口部３４１〜３４３は排出通路３１６の一部を構成する。この場合、排出ゲート部材３４０がその長手方向（取込ユニット１５３の前後方向）に移動することにより、排出通路３１６が閉鎖又は開放の状態とされる。すなわち、排出ゲート部材３４０が初期位置にある場合、排出ゲート部材３４０の壁板部により各取込装置３０１〜３０３の排出通路３１６が閉鎖され、当該通路３１６を通じての遊技球の排出が阻止される。また、排出ゲート部材３４０がその長手方向に移動すると、排出ゲート部材３４０の開口部３４１〜３４３により各取込装置３０１〜３０３の排出通路３１６が一斉に開放され、当該通路３１６を通じての遊技球の排出が許容される。
【０１７６】
開口部３４１〜３４３の下方には、それぞれ球案内突部３４４，３４５，３４６が形成されている。この球案内突部３４４〜３４６の上面は、各開口部３４１〜３４３の底部上面に連続して同一角度で設けられており、その角度は排出通路３１６の入口部の傾斜角度に合致している。これにより、遊技球が開口部３４１〜３４３を介して排出通路３１６に流入する際には、球案内突部３４４〜３４６上を転がりながら遊技球が通過し、排出通路３１６への遊技球の流入がスムーズに行われることとなる。
【０１７７】
排出ゲート部材３４０の一方の端部にはバネ受け部３４７が形成され、他方の端部にはロッド部３４８が形成されている。かかる場合、図３５等に示すように、第３取込装置３０３の外側にカバー部材３５１が設けられ、そのカバー部材３５１と排出ゲート部材３４０のバネ受け部３４７との間にコイルバネ３５２が組み込まれる。なお、符号３５３はコイルバネ３５２を収容するためのバネ収容部である。
【０１７８】
排出ゲート部材３４０は、コイルバネ３５２の付勢力によって一方向に常に付勢される。このとき、排出ゲート部材３４０は、コイルバネ３５２の付勢力により初期位置（排出通路３１６を閉鎖する位置）に保持され、ロッド部３４８から力が加わると、コイルバネ３５２の付勢力に抗して排出通路３１６の開放位置に移行する。
【０１７９】
図３３等に示すように、取込ユニット１６において第１取込装置３０１側にはロッド部３４８が突出しており、このロッド部３４８が、前述した排出操作伝達装置１５４により押し込み操作されるようになっている。また、図３９等に示すように、排出ゲート部材３４０の一方の端部において、前記バネ受け部３４７の下方には、排出ゲート部材３４０の長手方向に延びる突起部３５５が形成されている。一方、排出ゲート部材３４０の一端側に設けられるカバー部材３５１には排出ゲート検出センサ３５６が設けられている。かかる構成において、排出操作伝達装置１５４の操作に伴い排出ゲート部材３４０が動作すると、その動作状態が排出ゲート検出センサ３５６により逐次検出されるようになっている。その詳細を図４０により説明する。図４０において、（ａ）はロッド部３４８（排出ゲート部材３４０）を押し込み操作する前の初期状態を示し、（ｂ）はロッド部３４８（排出ゲート部材３４０）を押し込み操作した状態を示す。
【０１８０】
図４０に示すように、取込ユニット１６の側方（本遊技機１では前側）に排出操作伝達装置１５４が設けられており、ロッド部３４８の先端部が排出操作伝達装置１５４の第２リンク片１９５の回動先端部に相対向している。この場合、図４０の（ａ）では、排出ゲート部材３４０が初期位置にあるため、排出通路３１６の入口が閉鎖されており、遊技球の排出通路３１６への流れ込みが阻止されている。この状態では、排出ゲート部材３４０の突起部３５５が取込装置３０３の外方に突出しておらず、該突起部３５５が排出ゲート検出センサ３５６により検出されない。
【０１８１】
これに対し、図４０の（ｂ）では、排出操作伝達装置１５４において操作レバー１９８の操作により各リンク片１９４，１９５が回動動作し、その動作がロッド部３４８に伝達される。これにより、排出ゲート部材３４０が排出通路３１６を開放する位置に移動し、遊技球の排出通路３１６への流れ込みが許容される。この状態では、排出ゲート部材３４０の突起部３５５が取込装置３０３の外方に突出し、それに伴い該突起部３５５が排出ゲート検出センサ３５６により検出される。排出ゲート検出センサ３５６は、排出ゲート部材３４０の操作状態（操作位置）を検出するための排出操作検出手段を構成するものとなっている。
【０１８２】
排出ゲート検出センサ３５６による検出信号は、後述する主制御装置５０５に対して出力される。この場合、主制御装置５０５は、排出ゲート検出センサ３５６の検出信号に基づいて排出通路３１６の開閉の状態を検知し、排出通路３１６が開放状態にある場合には遊技球の取込動作（取込ゲート部材３２０の動作）を禁止するなどの処理を実行する。排出通路３１６の開放時に遊技球の取込動作を禁止することにより、遊技球の取込状態が不安定になったり、取り込まれる遊技球の検知精度が低下したりするなどの不都合が解消される。
【０１８３】
また、図３６，図３７に示すように、取込装置３０３には、取込通路３１５における遊技球の通過を検出するセンサユニット３７０が設けられている。このセンサユニット３７０は、取込通路３１５を通過する遊技球数をカウントするための遊技球カウント手段を構成するものであり、発光素子と受光素子とからなる周知の光学式センサを備える。
【０１８４】
センサユニット３７０は、略コ字形状をなしており、第１，第２ハウジング３１１，３１２に跨るようにして組み付けられている。詳細には、センサユニット３７０は、取込装置３０３の厚さ方向に延びるセンサ本体部３７１と、該センサ本体部３７１の両端から各ハウジング３１１，３１２の外壁面に沿って取込通路３１５側に延びるアーム部３７２，３７３とを有している。センサ本体部３７１にはセンサ回路基板（図示略）が収容されており、そのセンサ本体部３７１の背面部にはセンサ回路基板上に設けたコネクタ端子３７４を外部に露出させるためのコネクタ穴３７１ａが形成されている。
【０１８５】
アーム部３７２，３７３のうち一方には発光素子が収容されるとともに、他方には受光素子が収容されている。また、アーム部３７２，３７３の先端部には、互いに内側となる部位に上下一対のセンサ検出孔３７６が形成されている。この場合、アーム部３７２，３７３内には各２個ずつの発光素子と受光素子が収容されており、これら各素子はセンサ検出孔３７６を通じて発光及び受光を行うようになっている。第１，第２ハウジング３１１，３１２には、上下一対の透孔３７８が形成されており、ハウジング接合状態で、各ハウジング３１１，３１２にセンサユニット３７０が組み付けられた場合には、各アーム部３７２，３７３の先端部に設けたセンサ検出孔３７６の位置と、各ハウジング３１１，３１２の透孔３７８の位置とが合致し、それらが向き合うようにして配置される。
【０１８６】
図３６に示すように、ハウジング内部において、透孔３７８は取込通路３１５内で中心から幾分オフセットした位置に設けられている。この透孔３７８の位置がセンサユニット３７０による遊技球検出位置である。この場合特に、透孔３７８は、取込ゲート部材３２０の先端部に形成した爪部３２０ａの真下位置（図３６において取込通路３１５の右方オフセット位置）に設けられており、取込ゲート部材３２０の爪部３２０ａが没入側に移動しない限りセンサユニット３７０により遊技球が検出されることはないようになっている。仮に、透孔３７８が取込通路３１５において逆側（図３６において取込通路３１５の左方オフセット位置）に設けられた場合を想定すると、取込ゲート部材３２０の爪部３２０ａが突出位置にある状態での遊技球誤検出（排出通路３１６を通じての遊技球排出時の遊技球誤検出も含む）を防止するには透孔３７８の位置を図示の位置よりも下方に下げる必要が生じるが、本遊技機１の上記構成によれば、透孔３７８を取込ゲート部材３２０の爪部３２０ａの近傍に配置することが可能となる。したがって、取込ゲート部材３２０の開放により流下する遊技球をいち早く検出することが可能となる。
【０１８７】
取込ゲート部材３２０が開放された状態で遊技球が取り込まれる際、センサユニット３７０において上下の各センサ素子（発光素子＋受光素子）では、先に上流側のセンサ素子で遊技球が検出され、その後下流側のセンサ素子で遊技球が検出される。これら各センサ素子による検出信号は、遊技球の取込を管理する後述の主制御装置５０５に順に出力される。この場合、主制御装置５０５では、各センサ素子による遊技球検出信号によって正常に遊技球の取込が行われたかどうかが判定される。具体的には、所定の規定時間内に、上流側のセンサ素子→下流側のセンサ素子の順で遊技球の検出が行われた場合のみ、正常に遊技球の取込が行われたと判定される。
【０１８８】
仮に、上流側のセンサ素子による遊技球検出から下流側のセンサ素子による遊技球検出までの所要時間が規定時間よりも長い場合や、正常時とは逆に下流側のセンサ素子→上流側のセンサ素子の順で遊技球の検出が行われた場合には異常とみなされ、その旨が報知されるとともにそれ以降の遊技が停止される。したがって、例えば、遊技球やその他ダミー被検出物にひも等を付けて上下させることにより、あたかも複数の遊技球が取り込まれたようにするなどの不正行為が防止できるようになっている。
【０１８９】
上記のように、センサユニット３７０では各アーム部３７２，３７３のうち一方が発光部、他方が受光部となっており、それら発光部と受光部とが一体で設けられている。これにより、発光素子と受光素子との位置合わせ精度を高めることができ、遊技球の検出精度を良好なものとすることができる。また、各アーム部３７２，３７３を連結するセンサ本体部３７１にセンサ回路基板を設けるとともに、該センサ回路基板上に設けたコネクタ端子３７４によって外部基板との電気的な接続を可能としたため、発光素子や受光素子に繋がる信号線を統合してまとめることができ、さらに外部基板に対する配線の接続も容易なものとなる。
【０１９０】
ここで、上述したように、入口通路３０７は上壁が除去されていることにより、上方に開放されている。但し、図３６に示すように、排出通路３１６側の通路壁が入口通路３０７側に若干延出しており、その延出壁３１８により透孔３７８の上方は覆われている。これにより、入口通路３０７が上方に開放された構成において、遊技機１が多数設置される遊技場の場内照明や後述する蛍光管５５４等からの光が取込通路３１５内に入り込むことが防止されている。取込通路３１５内に光が入り込むと、その光をセンサユニット３７０の受光素子が感知し、遊技球の検出が正確に行われなくなるおそれがあるからである。また、当該延出壁３１８は、図３２（ａ）等に示すように、上皿１５１に取り付けられた第２カバー部材１５８と当接しており、第２カバー部材１５８の底壁部２４６と共に、入口通路３０５〜３０７の上壁を構成している。
【０１９１】
取込通路３１５の最下流部には、取込ゲート部材３２０を通過した遊技球をセンサユニット３７０で検出した後、同遊技球を再度検出するための下流側取込センサ３８０が設けられている。この下流側取込センサ３８０は磁気検出タイプの近接センサにて構成されており、遊技球の通過に伴う磁界の変化により遊技球の通過を検出する。すなわち、板状のセンサ本体部３８１には貫通孔３８１ａが設けられており、センサ本体部３８１では貫通孔３８１ａを遊技球が通過する際の磁界の変化が検出されて電気信号として出力される。貫通孔３８１ａは略真円状をなしており、その直径は取込通路３１５の幅寸法に概ね一致している。センサ本体部３８１にはコネクタ端子３８２が設けられている。
【０１９２】
下流側取込センサ３８０による検出信号は、前記センサユニット３７０の検出信号と同様、後述する主制御装置５０５に対して出力される。この場合、主制御装置５０５では、前記センサユニット３７０の検出信号と下流側取込センサ３８０の検出信号とに基づいて今回の遊技球取込の検出結果（センサユニット３７０による取込判定の結果）が正規なものかどうか、すなわち不正なものでないかどうかが判定される。具体的には、センサユニット３７０による球技球カウント数（例えば、一方のセンサ素子の検出結果による遊技球カウント数）と、下流側取込センサ３８０による遊技球カウント数とを比較し、それら各カウント数が一致する場合に、今回の遊技球取込の検出結果（センサユニット３７０による取込判定の結果）が正規であると判定する。これに対し、各カウント数が不一致となる場合に、今回の遊技球取込の検出結果（センサユニット３７０による取込判定の結果）が正規なものでなく、不正行為によるものであると判定する。
【０１９３】
取込ユニット１６に対する不正行為として、センサユニット３７０に、遊技球の通過を誤検出させるように発光動作する不正装置を取り付けることが考えられる。例えば、実際の遊技球取込に関係なく点滅動作するような２つの発光体を備えてなる不正装置を本取込ユニット１６に取り付け、それら各発光体を所定順序で点滅させることで遊技球の通過を誤検出させるようにする。かかる不正行為がなされた場合、センサユニット３７０による遊技球検出だけでは不正行為による遊技球の誤検出を回避することが困難であった。この点、上記のように下流側取込センサ３８０の検出信号による不正確認によって、不正行為による遊技球の誤検出を回避することができる。
【０１９４】
取込通路３１５に、互いに検出方式の異なる２つのセンサ装置（センサユニット３７０、下流側取込センサ３８０）を設けたため、各センサ装置のいずれにおいても遊技球を誤検出させるようにすることは困難なものとなる。故に、取込ユニット１６における不正対策が望ましいものとなっている。
【０１９５】
上述した取込装置３０３の各構成部材（排出ゲート部材３４０を除く、取込ゲート部材３２０、ソレノイド３２５を含むゲート駆動機構、センサユニット３７０等）は、入口通路３０７と取込通路３１５とのコーナー部分の内側領域に集約して配設されている。これにより、各構成部材を限られた領域内で効率良く配置することができ、結果として取込装置３０３の小型化（薄型化も含む）が実現できるようになっている。
【０１９６】
上記構成の取込装置３０１〜３０３が３連で設けられた本取込ユニット１６では、上皿１５１の案内通路１７１〜１７３から各取込装置３０１〜３０３にそれぞれ遊技球が供給され、遊技機前面のベットスイッチ３７の操作に伴い各取込装置３０１〜３０３では各々で遊技球が取り込まれる。具体的には、例えば１５個（マックスベット分）の遊技球が取り込まれる場合、全ての取込装置３０１〜３０３において同時に取込ゲート部材３２０が開放位置に操作され、遊技球の取込が一斉に開始される。このとき、各取込装置３０１〜３０３では遊技球が５個ずつ取り込まれる。
【０１９７】
ただし、３個の取込装置３０１〜３０３のうちいずれかの取込装置に遊技球が充填されていない場合、又はソレノイド３２５の故障などでいずれかの取込装置が正常に作動しない場合には、正常な取込動作を行うことができる残りの取込装置により遊技球の取込が行われる。例えば、第１取込装置３０１に遊技球が充填されていないとき又は同取込装置３０１のソレノイド３２５などが故障しているときには、第１取込装置３０１以外の取込装置（第２，第３取込装置３０２，３０３）によって１５個の遊技球が取り込まれることとなる。
【０１９８】
一方、取込装置３０１〜３０３や上皿１５１に残っている遊技球を下皿７１へ排出する場合には、遊技機前面の操作レバー１９８の操作に伴い排出ゲート部材３４０が操作されて各取込装置３０１〜３０３で一斉に遊技球の排出が行われる。
【０１９９】
（面替えブロック５の説明）
次に、面替えブロック５について説明する。図４１は面替えブロック５を斜め前方より見た斜視図、図４２は同面替えブロック５を斜め後方から見た斜視図、図４３は同面替えブロック５の正面図である。また、図４４，図４５は面替えブロック５の分解斜視図である。
【０２００】
面替えブロック５は主要な構成として、合成樹脂製の前面枠５０１と、図柄表示装置としてのリール装置５０３と、補助演出装置としての液晶表示装置５０４と、遊技に関わる主たる各種制御を実施する主制御装置５０５と、主制御装置５０５からの指令に基づく従たる表示制御等を実施する表示制御装置５０６と、主制御装置５０５を装着するための主制御装置用台座ベース５０７と、表示制御装置５０６を装着するための表示制御装置用台座ベース５０８とを備えている。本実施の形態では、面替えブロック５は、本遊技機１の遊技内容を決定する主要部品を全て備える構成となっており、仮に遊技ホール等において機種入替を行う場合には、この面替えブロック５を現機種のものから新たな機種のものに入れ替えることで機種入替を行うことができるようになっている。すなわち、面替えブロック５は機種入替時などにおける交換ユニットとなっている。
【０２０１】
（前面枠５０１の説明）
前面枠５０１の詳細を図４６等を用いて説明する。図４６において、（ａ）は前面枠５０１を前方から見た斜視図、（ｂ）は前面枠５０１を後方から見た斜視図である。
【０２０２】
前面枠５０１は有色（例えば、黒色）の遮光性材料により形成されており、正面から見てほぼ正方形状をなしている。前面枠５０１の前面部において略台形状に縁取られた部位が、前扉体１１の視認窓２１にほぼ一致する形状及び大きさとなっている。この場合、面替えブロック５をドアブロック４に取り付けた状態では、前面枠５０１のほぼ全面が前扉体１１の視認窓２１から視認可能となっている。
【０２０３】
前面枠５０１の前面部には、横長の矩形状をなす表示窓５１１が設けられるとともに、その表示窓５１１の上方に同じく横長の矩形状をなす表示窓５１２が設けられている。なお以下の記載では、下側の表示窓５１１を「下側表示窓５１１」、上側の表示窓５１２を「上側表示窓５１２」と表記する。下側表示窓５１１は、リール装置５０３の外周に付されたリール図柄を表示するためのリール図柄表示部に相当し、上側表示窓５１２は、液晶表示装置５０４による表示画像を表示するための液晶画像表示部に相当する。
【０２０４】
各表示窓５１１，５１２は、前面枠５０１の前面部において左右方向のほぼ中央部にそれぞれ設けられており、ほぼ同じ横寸法を有する（高さ寸法は上側表示窓５１２の方が若干大きい）。ただし、各表示窓５１１，５１２の大きさ（絶対的な大きさ）や各表示窓５１１，５１２を比較した時の相対的な大きさ、各表示窓５１１，５１２の形状は任意に変更可能であり、例えば、上側表示窓５１２をより横長状としたり、上側表示窓５１２を下側表示窓５１１よりも小さくしたりしても良い。前面枠５０１の前面部において、各表示窓５１１，５１２の周囲部分は概ね平坦面にて構成されている。
【０２０５】
下側表示窓５１１の周縁部には、前方に張り出すようにして張出部５１３が設けられている。前面枠５０１の背面側にリール装置５０３を取り付けた場合には、リール装置５０３の一部が前面枠５０１の前面部（表示窓周りの平坦部）よりも前方に突き出るが、張出部５１３によって、リール装置５０３の突き出し部分が囲まれるようになっている。この場合、上下の張出部５１３によれば、リール装置５０３の前方突き出し部分において外部より視認可能／視認不可能（又は視認困難）とするリール図柄範囲を明確に分けることができる。また、左右の張出部５１３によれば、リール装置５０３内部が外方より見えることを抑制することができる。
【０２０６】
面替えブロック５をドアブロック４に装着した状態では、前面枠５０１の周縁部分（図４６のＡ部分）がドアブロック４のパネル支持部材１４（図７参照）に当接する。このとき、前面枠５０１において周縁部分（図４６のＡ部分）とそれ以外の中央部分とはほぼ面一となっている。したがって、前記装着状態では、前面枠５０１の中央部分と透明パネル２２との間に隙間ができるようになっている。
【０２０７】
本遊技機１では、ドアブロック４の視認窓２１（透明パネル１３）を通じて前面枠５０１を見た場合、各表示窓５１１，５１２を含む広範囲領域が視認可能となる。故に、前面枠５０１の前面領域に本遊技機１に関わる各種情報（機種情報や配当表など）や装飾等を付与すれば、その各種情報や装飾等を視認窓２１（透明パネル１３）を通じて遊技機前方から視認することができる。この場合、前述のとおり前面枠５０１の前面部において各表示窓５１１，５１２以外の部分は概ね平坦面であるため、この前面領域に各種情報などを付与したシール等を貼付することも可能である。
【０２０８】
図４３に示すように、前面枠５０１の下側表示窓５１１の右側には、情報表示基板５１４が設けられている。この情報表示基板５１４には、小役成立時における獲得球数を表示する獲得球数表示部や、ビッグボーナスやレギュラーボーナス等の特別遊技状態の際に例えば残りのゲーム数等を表示するゲーム数表示部が設けられている。これら表示部は７セグメント表示器によって構成されるが、液晶表示器等によって代替することは当然可能である。
【０２０９】
前面枠５０１の前面側において下側表示窓５１１の下方には、横長の下パネル部５１６が設けられている。下パネル部５１６は前扉体１１に設けた横長窓部５０を通じて遊技機前方より視認可能となる部位である。ここで、下パネル部５１６の構成について、図２４、図４７を用いて説明する。図４７は、下パネル部５１６と、上皿１５１及び取込ユニット１６との位置関係を説明するための図である。
【０２１０】
下パネル部５１６は、前方に開放され内部が空洞のベース部５５０と、当該ベース部５５０の開口部５５１を覆うパネル５５９とを備えている。ベース部５５０には、図２４に示すように、その開口部５５１側に上下一対のレール部５５２，５５３が一体形成されている。これらレール部５５２，５５３のレール溝幅はパネル５５９の厚み寸法と略同一であり、パネル５５９の上下両端がレール部５５２，５５３に嵌合されることにより当該パネル５５９がベース部５５０に支持されている。なお、レール部５５２，５５３は、図４７の状態で見て左側に向けて開放されており、この開放側からスライドさせることによりパネル５５９の着脱が行われる。ちなみに、レール部５５２，５５３の開放方向は任意であり、図４７の状態で見て右側に向けて開放された構成であってもよい。
【０２１１】
パネル５５９はアクリル樹脂やポリカーボネート樹脂等の透明性を有する合成樹脂材料にて成形されている。パネル５５９の背面側には、本遊技機１に関わる遊技情報が付与されている。詳細には、図４８に示すように、賞球の払い出しに関する配当表が付与されている。なお、パネル５５９の背面側に付与されるものは配当表に限定されることはなく、例えば、遊技機種に対応したキャラクタなどといった装飾を付与してもよい。
【０２１２】
ベース部５５０には、パネル５５９をその背面側から照らす蛍光管５５４が配設されている。詳細には、蛍光管５５４はその長手方向の寸法がベース部５５０の左右方向の長さ寸法よりも若干短くなっており、ベース部５５０の左右両端側にそれぞれ形成された支持部５５５に支持されている。この場合に、蛍光管５５４は、ベース部５５０における下壁部５５７寄りの位置にある。蛍光管５５４には遊技機１の電源がオンとなっている間は表示制御装置５０６を介して常に駆動電力が供給されており、白色光を照射している。この蛍光管５５４からの白色光は上記配当表に対してバックライトとしての機能を果たし、パネル５５９及び横長窓部５０を透過して遊技者によって視認される。これにより、配当表が奥側から明るく照らされ、その視認性が向上されている。さらには、配当表に対して装飾効果を付与することができる。
【０２１３】
この蛍光管５５４は、図２４に示すように、上皿１５１の奥側領域Ａ２の上方に位置している。また、ベース部５５０の下壁部５５７には、蛍光管５５４の下方の位置に蛍光管５５４の長手方向に沿って延びる横長貫通孔５５８が形成されている。さらに、上述したとおり、上皿１５１の奥側領域Ａ２の上方を覆う第１カバー部材１５７及び第２カバー部材１５８は透明性を有する。よって、蛍光管５５４からの光は、第１，第２カバー部材１５７，１５８を透過し上皿１５１の奥側領域Ａ２を照らす。これにより、上皿１５１の奥側領域Ａ２が明るく照らされるようになり、当該領域に存在する遊技球の確認を容易に行うことができる。この場合に、蛍光管５５４はその両端が各案内通路１７１〜１７３の左右両端よりも外側に位置しており、蛍光管５５４からの光により各案内通路１７１〜１７３の全体が照らされる。
【０２１４】
また、図４７に示すように、蛍光管５５４の下方領域Ｘ内には、上皿１５１だけでなく取込ユニット１６の上皿端部側が含まれている。そして、当該上皿端部側には上述したように入口通路３０５〜３０７が形成されている。よって、蛍光管５５４からの光により上皿１５１の奥側領域Ａ２だけでなく、取込ユニット１６の入口通路３０５〜３０７が明るく照らされ、当該入口通路３０５〜３０７に存在する遊技球の確認を容易に行うことができる。
【０２１５】
ベース部５５０の下壁部５５７は、上皿ユニット１５の第１カバー部材１５７及び第２カバー部材１５８の上面に沿った形状をしている。より詳細には、下壁部５５７は前後方向の途中位置から手前側端部に向けて上り傾斜となるよう形成されている（図２４参照）。そして、面替えブロック５及び払出ブロック６がドアブロック４に対して固定された状態では、下壁部５５７が第１，第２カバー部材１５７，１５８上に載っており、面替えブロック５の重量の一部が第１，第２カバー部材１５７，１５８により受けられている。この場合に、上記のとおり、下壁部５５７は前後方向の途中位置から手前側端部に向けて上り傾斜となるよう形成されていることで、下壁部５５７の手前側端部は第１カバー部材１５７の奥側端部及び第２カバー部材１５８の奥側端部に対して上方に離れた高さに位置している。よって、面替えブロック５をドアブロック４に対して閉じた位置に回動させる際に下壁部５５７の上り傾斜部分が第１カバー部材１５７の奥側端部及び第２カバー部材１５８の奥側端部に対して滑り部として機能し、面替えブロック５が第１カバー部材１５７及び第２カバー部材１５８に載り易くなる。
【０２１６】
下パネル部５１６の右方には、上下一対の操作スイッチ５１８，５１９が設けられている。操作スイッチ５１８，５１９は、例えば情報メニューの操作に用いられる押しボタン式のスイッチ部材であり、当該操作スイッチ５１８，５１９の押し操作によって大当たり回数、総ゲーム数、大当たり発生確率、出球数（投入遊技球数と払出遊技球数との差）などの各種情報が液晶表示装置５０４などに適宜表示される。なお、情報メニューには、その他本遊技機１における特殊ゲームの説明などが含まれる。
【０２１７】
一方、前面枠５０１の背面側において、上下の各表示窓５１１，５１２の間の開口縁部と下側表示窓５１１の下側の開口縁部とにはそれぞれ、リール装置５０３を取り付けるための長尺状のリール取付金具５２１，５２２が設けられている。
【０２１８】
また、前面枠５０１の背面側においてその右側部分には支持金具５２４が取り付けられている。支持金具５２４には上下一対の支軸５２５，５２６が設けられている。支持金具５２４の支軸５２５，５２６は、面替えブロック５をドアブロック４に回動可能に支持するための支持手段を構成するものであり、この支軸５２５，５２６がドアブロック４に設けられた軸金具１１１，１１２の軸受け部１１１ｂ，１１２ａの軸孔（図１１等参照）に差し入れられるようになっている。なお、ドアブロック４側の軸受け部１１１ｂ，１１２ａと面替えブロック５側の支軸５２５，５２６とが前記図６に示す「面替えブロック５用の支持手段Ｍ１１，Ｍ１２」に相当する。
【０２１９】
同じく前面枠５０１の背面側においてその左側部分には、主制御装置用台座ベース５０７を取り付けるための台座ベース取付手段が設けられている。この場合、主制御装置用台座ベース５０７（主制御装置５０５）は、前面枠５０１の背面側左方に縦向きに取り付けられるようになっており、台座ベース取付手段として、主制御装置用台座ベース５０７の下端部を支持するための略コ字状の支持金具５２７と、同主制御装置５０５の上端部を支持するための留め具５２８とが設けられている。
【０２２０】
さらに、前面枠５０１の背面側において左上隅部と左下隅部とには、面替えブロック５の背面側に取り付けられる払出ブロック６との結合を行うための結合フック部材５３１，５３２が設けられている。この結合フック部材５３１，５３２は、本面替えブロック５の回動軸とは反対側の回動先端側に設けられており、結合位置に操作されることにより面替えブロック５と払出ブロック６との結合状態が保たれている。また、結合フック部材５３１，５３２が結合解除位置に操作されることにより面替えブロック５と払出ブロック６との結合が解除され、払出ブロック６から分離するように面替えブロック５が回動可能となるようになっている。
【０２２１】
（リール装置５０３の説明）
図４９は、リール装置５０３の構成を示す斜視図である。リール装置５０３は、金属製のケース部材５４０と、そのケース部材５４０に収容される左・中・右の３つのリール５４１，５４２，５４３とを具備している。ケース部材５４０は、その内部に３つのリール５４１〜５４３を回転可能に収容し、かつ該リール５４１〜５４３の一部を前方に現出させるものとなっている。ケース部材５４０において上面部の前側端部には、上方に折り曲げて形成された支持固定部５４５が設けられ、下面部の前側端部には、下方に折り曲げて形成された支持固定部５４６が設けられている。これら支持固定部５４５，５４６は、リール装置５０３を前面枠５０１に取り付けるための取付手段を構成するものであり、前面枠５０１に設けたリール取付金具５２１，５２２に対してリール装置５０３の支持固定部５４５，５４６をネジ等により固定することにより、リール装置５０３が前面枠５０１の背面側に装着されるようになっている。
【０２２２】
上側の支持固定部５４５は、左右両端部に突起部５４５ａを有する形状となっている。この両突起部５４５ａは、支持固定部５４５の中央部を切り欠くことで形成したものであり、該中央部の高さを低くすることにより、前面枠５０１に対して液晶表示装置５０４を着脱する際の干渉を回避することができるようになっている。
【０２２３】
ケース部材５４０の上部には、リール装置５０３と主制御装置５０５などの制御系との電気的な接続を行うためのリール中継基板５４８が設置されている。
【０２２４】
各リール５４１〜５４３の構成については周知であるため、ここでは詳細な図示を省略し、その構成を簡単に説明する。各リール５４１〜５４３は、円筒状のかごを形成する円筒骨格部材と、その外周に巻回された帯状のベルトとを備えている。ベルトの外周面には、識別情報としての図柄が等間隔ごとに多数印刷されている（例えば２１図柄）。各リール５４１〜５４３の中央部には、駆動源としてのステッピングモータが設けられており、該ステッピングモータの駆動により各リール５４１〜５４３が個別に、すなわちそれぞれ独立して回転駆動される。リール装置５０３には、その他の構成として、各リール５４１〜５４３の回転位置を検出するためのリールインデックスセンサ（回転位置検出センサ）が設置されている。また、各リール５４１〜５４３の内周側には、蛍光ランプ等よりなるバックライト（後方発光手段）が設けられており、このバックライトにより、リール外周面に付された各図柄が後方より明るく照らされるようになっている。バックライトの発光によって、リール外周面に付された各図柄の視認性の向上や、遊技に際し補助的な演出の多様化を図ることができる。
【０２２５】
（主制御装置５０５等の説明）
次に、主制御装置５０５や表示制御装置５０６等の構成を図４４等を用いて説明する。
【０２２６】
主制御装置５０５は、ＣＰＵやメモリ等の電子部品が実装された主制御基板５６１と、この主制御基板５６１を収容するための略直方体形状のケース部材（表ケース５６２及び裏ケース５６３）とから構成されている。表ケース５６２及び裏ケース５６３は透明な合成樹脂材料にて成形されており、この透明な表ケース５６２及び裏ケース５６３によってその内部の主制御基板５６１が視認可能となっている。
【０２２７】
主制御装置用台座ベース５０７は、主制御装置５０５を一方向にスライド可能に装着する台座部材であり、本実施の形態では、台座ベース５０７に対して主制御装置５０５を上方にスライドさせることにより、同台座ベース５０７から主制御装置５０５を離脱させることができるようになっている。
【０２２８】
主制御装置用台座ベース５０７の下側角部付近には、前面枠５０１に設けられた支持金具５２７に回動可能に支持される被支持部５０７ａが設けられている。この場合、被支持部５０７ａが支持金具５２７に支持されることにより、当該被支持部５０７ａを支点として前面枠５０１に対して主制御装置用台座ベース５０７（主制御装置５０５）が回動可能（言い換えれば、後方に傾倒可能）となっている。
【０２２９】
表ケース５６２、裏ケース５６３及び主制御装置用台座ベース５０７には、これら各部材を連結する封印手段としての封印部ｆ１，ｆ２，ｆ３（いわゆるカシメ部）が設けられている。封印部ｆ１〜ｆ３は、破壊等を伴うことでケース部材を開封可能とするものであり、開封後には破壊などがなされた部材が開封履歴として残るため、その開封履歴によって開封事実の確認が可能となっている。これにより、仮にケース部材が不正に開封された場合などにおいては、封印部ｆ１〜ｆ３の確認によって不正行為の発見が可能となっている。
【０２３０】
一方、表示制御装置５０６は、ＣＰＵやメモリ等の電子部品が実装された表示制御基板５７１と、この表示制御基板５７１を収容するための略直方体形状のケース部材（表ケース５７２及び裏ケース５７３）とから構成されている。表ケース５７２及び裏ケース５７３は透明な合成樹脂材料にて成形されており、この透明な表ケース５７２及び裏ケース５７３によってその内部の表示制御基板５７１が視認可能となっている。裏ケース５７３には、三角形状の脚部５７３ａが設けられている。表示制御装置５０６は、表示制御装置用台座ベース５０８上に固定された状態で前面枠５０１の背面に取り付けられている。このとき、裏ケース５７３に設けた脚部５７３ａによって、表示制御装置５０６は斜めに傾いた状態で取り付けられている。また、表示制御装置用台座ベース５０８には外部端子板５７５が取り付けられている。
【０２３１】
上記構成では、主制御装置５０５において主制御基板５６１の電子部品実装面が外方を向くようにして配置され、また表示制御装置５０６において表示制御基板５７１の電子部品実装面が後方側の斜め上方を向くようにして配置されている。こうした配置により、主制御基板５６１や表示制御基板５７１に対する不正確認が容易となっている。
【０２３２】
液晶表示装置５０４は、液晶パネル５８１と、該液晶パネル５８１を駆動する液晶ドライバ５８２とにより構成されている。
【０２３３】
（面替えブロック５として完成状態の説明）
面替えブロック５の完成状態を図４１，図４２を用いてあらためて説明する。面替えブロック５としては、前面枠５０１の背面側にリール装置５０３が取り付けられ、リール装置５０３の上方に液晶表示装置５０４が取り付けられている。また、リール装置５０３の側方に主制御装置５０５が取り付けられるとともに、同リール装置５０３の上方に台座ベース５０７を介して表示制御装置５０６が取り付けられている。
【０２３４】
面替えブロック５の前面側において、前面枠５０１の上側表示窓５１２からは液晶パネル５８１のパネル面全体が視認できる。また、同前面枠５０１の下側表示窓５１１からはリール装置５０３の各リール５４１〜５４３の一部が視認できる。このとき、各リール５４１〜５４３の外周に付された多数（本実施の形態では２１個）の図柄のうち、リール毎に３つずつの図柄が下側表示窓５１１を通じて視認できるようになっている。
【０２３５】
（払出ブロック６の説明）
次に、払出ブロック６について説明する。図５０及び図５１は払出ブロック６の斜視図、図５２は払出ブロック６の背面図、図５３は払出ブロック６から払出装置６１８等を分離させて示す斜視図、図５４は払出ブロック６から制御装置類を取り外した状態を示す斜視図、図５５は払出ブロック６から制御装置類を取り外した状態を示す背面図である。なお図５５では、当該払出ブロック６に形成される遊技球通路を点線にて図示している。
【０２３６】
払出ブロック６は、合成樹脂材料にて一体成形された裏カバー部材６０１と、遊技球を払い出すための払出機構６０２と、払出制御を司る払出制御装置６０３と、外部電源から生成した電源電圧を各種制御装置やアクチュエータ類などに供給する電源装置６０４とを有しており、これらを一体化することにより構成されている。
【０２３７】
裏カバー部材６０１は、略平坦状をなすベース部６１１と、後方（遊技機１の後方）に突出し略直方体形状をなす保護カバー部６１２とを有する。保護カバー部６１２は左右及び上下の各面と背面とが閉鎖された形状をなし、少なくとも前記面替えブロック５のリール装置５０３、主制御装置５０５及び表示制御装置５０６を収容するのに十分な大きさを有する。なお図示は省略するが、保護カバー部６０４の背面には多数の通気孔を設けることも可能である。ベース部６１１と保護カバー部６１２とは上記のとおり一体成形される他、各々別体にて成形されてネジ等により一体化されるものであっても良い。
【０２３８】
払出機構６０２は、保護カバー部６１２を迂回するようにして裏カバー部材６０１のベース部６１１に取り付けられている。すなわち、払出機構６０２として、裏カバー部材６０１の最上部には上方に開口したタンク６１５が設けられており、タンク６１５には遊技ホールの島設備から供給される遊技球が逐次補給される。タンク６１５の下方には、例えば前後方向４列（４条）の球通路を有し下流側に向けて緩やかに傾斜するタンクレール６１６が連結され、タンクレール６１６の下流側には上下方向に延びるケースレール６１７が連結されている。
【０２３９】
ケースレール６１７の最下流部には、遊技球の払出を行うための払出装置６１８が設けられている。図５５に示すように、払出装置６１８は、払出モータ６１９と、該払出モータ６１９により駆動される払出ゲート部材６２０とを有しており、払出制御装置６０３からの制御信号により払出モータ６１９が駆動され、その払出モータ６１９の駆動に伴い払出ゲート部材６２０が通路開放位置に移動する。そしてこれにより、必要個数の遊技球の払出が適宜行われる。
【０２４０】
払出装置６１８は、遊技時の入賞等に伴い行われる遊技球払出機能の他に、メンテナンス時などにおいてケースレール６１７等に滞在している遊技球を外部に排出するための遊技球排出機能を有しており、遊技球排出時には、通路切換レバー６２１が払出実行位置から排出実行位置に切り換えられ、かつ払出モータ６１９が駆動されることによって遊技球の外部排出が行われる。
【０２４１】
ケースレール６１７は、前記タンクレール６１６と同様、前後方向に４列分設けられ、それに合わせて払出装置６１８も４列分設けられている。この場合、図５３に示すように、裏カバー部材６０１のベース部６１１には、金属板６２５が重ね合わせて設けられ、その金属板６２５上に起立するようにして金属製の２本のボス部材６２６が設けられている。なお、図５１において符号６２７はボス部材６２６の基端部を固定するための金属板である。つまり、ボス部材６２６は、表裏２枚の金属板６２５，６２７によってその基端部が強固に固定されている。そして、ボス部材６２６を挿通させた状態で、４列分の払出装置６１８がまとめて固定されている。
【０２４２】
払出装置６１８の下流側には、やはり４列分の遊技球通路を形成するための通路形成部材６３０が設けられている。この通路形成部材６３０は、その内部に払出通路６３１と排出通路６３２とを有するものであり、遊技球が払出通路６３１を通過することにより前記上皿１５１等への払出が行われる。また、遊技球が排出通路６３２を通過することにより遊技球の外部排出が行われる。通路形成部材６３０は、金属板６２５上に設けられた２本の支柱部材６３３により固定されている。
【０２４３】
通路形成部材６３０には、払出制御装置６０３から払出装置６１８への払出指令の信号を中継する払出中継基板６３５が設置されている。なお図示は省略するが、ケースレール６１７の上流部には、タンク６１５やタンクレール６１６から供給される遊技球の有無を検出するタンク球無しセンサが設けられている。また、払出装置６１８には、払出モータ６１９の回転を検出する払出回転センサや、払い出される遊技球数をカウントする払出カウントスイッチが設けられている。
【０２４４】
払出機構６０２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【０２４５】
ベース部６１１において通路形成部材６３０の下流側には、上記払出機構６０２から流下してきた遊技球を分配するための遊技球分配部６４０が設けられている。この遊技球分配部６４０には、図５３に示すように、３つの通路開口部６４１，６４２，６４３が設けられており、そのうち通路開口部６４１は上皿１５１に連通し、通路開口部６４２は下皿７１に連通し、通路開口部６４３は遊技機外部に繋がる遊技球排出部に連通する構成となっている。
【０２４６】
ここで、遊技球分配部６４０よりも下流側の遊技球通路について図５５を用いて説明する。裏カバー部材６０１において保護カバー部６１２の下方には、遊技球分配部６４０の通路開口部６４１に連通する上皿案内通路６５１が設けられている。その上皿案内通路６５１は裏カバー部材６０１の前面側に開口しており、払出ブロック６をドアブロック４に装着した状態では、上皿案内通路６５１の前面側開口部が上皿ユニット１５の排出口１６３（図７等参照）に連通する構成となっている。
【０２４７】
また、裏カバー部材６０１には、遊技球分配部６４０の通路開口部６４２に連通する下皿案内通路６５２と、同遊技球分配部６４０の通路開口部６４３に連通する外部排出通路６５３とが並行して設けられている。下皿案内通路６５２は裏カバー部材６０１の前面側に開口しており、払出ブロック６をドアブロック４に装着した状態では、下皿案内通路６５２の前面側開口部が内枠１２の下皿連通路１４５（図７等参照）に連通する構成となっている。なお、図中の符号６５５は、下皿７１が満タンとなることで上流側に遊技球が溢れてきた場合にそれを検知するための下皿満タンスイッチである。
【０２４８】
かかる場合、通路形成部材６３０の払出通路６３１を流下してきた遊技球は、基本的にそのまま通路開口部６４１に流れ込み、その後上皿案内通路６５１を介して上皿１５１に排出される。ただし、上皿１５１が満タンとなることで余剰となった遊技球が上皿案内通路６５１を通じて溢れてくる場合には、その余剰の遊技球が通路開口部６４２に流れ込み、その後下皿案内通路６５２を介して下皿７１に排出される。また、通路形成部材６３０の排出通路６３２を流下してきた遊技球は、外部排出通路６５３を介して遊技機外部（遊技ホールの島設備）に排出される。
【０２４９】
また、本払出ブロック６をドアブロック４に装着した場合には、ドアブロック４に設けられる取込ユニット１６の背後及びその周辺が払出ブロック６により囲まれることとなる。この場合特に、裏カバー部材６０１のベース部６１１には、球留め装置１５５の操作レバー２１３の形状に合わせたレバー挿通孔６５７が設けられており、そのレバー挿通孔６５７に球留め装置１５５の操作レバー２１３が挿通されるようになっている。レバー挿通孔６５７は、操作レバー２１３が取込ユニット保持位置（ホールド板片２２４が取込ユニット１６の背面に当接した状態）にある場合にのみ、操作レバー２１３が挿通可能となる形状及び大きさで設けられており、仮に操作レバー２１３が取込ユニット取り外し位置（ホールド板片２２４が取込ユニット１６の背面に当接していない状態）にある場合には、ドアブロック４に対して払出ブロック６を装着しようとしても、操作レバー２１３がレバー挿通孔６５７に挿通できないために該装着ができないようになっている。
【０２５０】
したがって、ドアブロック４に対して取込ユニット１６を装着した後、球留め装置１５５の操作レバー２１３を取込ユニット保持位置に操作することが忘れられてしまうといった作業上のミステークを回避することができる。またこのとき、操作レバー２１３が確実に取込ユニット保持位置に操作されることにより、遊技に際し、上皿１５１から取込ユニット１６への遊技球の流れが意に反して阻害されるといった不都合も回避できる。
【０２５１】
裏カバー部材６０１において内面側（前方側）から見て左端部には、支持金具６６１が取り付けられている。支持金具６６１には上下一対の支軸６６２，６６３が設けられている。また、支持金具６６１の下方には、支軸６６６を有する支持金具６６５が取り付けられている。これら各支持金具６６１，６６５の支軸６６２，６６３，６６６は、払出ブロック６をドアブロック４に回動可能に支持するための支持手段を構成するものであり、この支軸６６２，６６３，６６６がドアブロック４に設けられた軸金具１１１，１１２，１１３の軸受け部１１１ａ，１１２ｂ，１１３ｂの軸孔（図７等参照）に差し入れられるようになっている。なお、ドアブロック４側の軸受け部１１１ａ，１１２ｂ，１１３ｂと払出ブロック６側の支軸６６２，６６３，６６６とが前記図６に示す「払出ブロック６用の支持手段Ｍ２１〜Ｍ２３」に相当する。
【０２５２】
裏カバー部材６０１の内面側において保護カバー部６１２を挟んでその上下部位には、面替えブロック５に設けた２つの結合フック部材５３１，５３２に係止される金属製の係止片６７１，６７２が取り付けられている。面替えブロック５と払出ブロック６とを重ねた状態で面替えブロック５の結合フック部材５３１，５３２を係止位置に操作することにより両ブロック５，６の結合状態とされ、同結合フック部材５３１，５３２を係止解除位置に操作することにより両ブロック５，６が分離可能となるようになっている。
【０２５３】
この場合、結合フック部材５３１，５３２の操作は払出ブロック６の裏カバー部材６０１よりも前方側でのみ可能であり、払出ブロック６の前方側が開放されていなければ、結合フック部材５３１，５３２の係止解除操作が不可能となっている。つまり、面替えブロック５と払出ブロック６との一体物をドアブロック４に装着した状態（図３に示す状態）では結合フック部材５３１，５３２が内部に隠れており、結合フック部材５３１，５３２の手動操作による面替えブロック５及び払出ブロック６の開放操作が不可能となっている。
【０２５４】
また、同じく裏カバー部材６０１の内面側において、前記支持金具６６１とは反対側であって保護カバー部６１２を挟んで上方及び下方となる各部位には、ドアブロック４に設けた施錠装置１２０の鉤金具部１３３，１３４に係止される金属製の係止片６７３，６７４が取り付けられている。ドアブロック４に対して払出ブロック６が閉じられた状態では、施錠装置１２０の鉤金具部１３３，１３４により係止片６７３，６７４が係止され、払出ブロック６が開放不可能とされる。そして、操作キーによる解錠操作に伴い鉤金具部１３３，１３４が係止解除位置に移動すると、係止片６７３，６７４の係止が解除され、払出ブロック６が開放可能となる。
【０２５５】
また特に、保護カバー部６１２には、係止片６７３，６７４を囲むようにして遮蔽カバー６７５，６７６が設けられている。この遮蔽カバー６７５，６７６は、前方にのみ開放したボックス状をなすものであり、その後方からは指や道具等を差し入れることができないようになっている。したがって、ドアブロック４に対して払出ブロック６が閉じられた状態（図３に示す状態）では施錠装置１２０の施錠状態（鉤金具部１３３，１３４と係止片６７３，６７４との係止状態）が不正に解除されることはなく、不正の抑止効果が得られる。
【０２５６】
その他に、裏カバー部材６０１には、払出ブロック６をドアブロック４に装着した状態で固定するためのロック部材６７８，６７９が設けられている。ロック部材６７８，６７９は、内枠１２の鉤金具１４７，１４８（図１１参照）に対応する位置に設けられており、それぞれ鉤金具１４７，１４８に係止される係止片を有する構成となっている。この場合、鉤金具１４７，１４８に対して各ロック部材６７８，６７９の係止片を係止状態にすることでドアブロック４に払出ブロック６が固定される。また、施錠装置１２０による施錠を解除した後、各ロック部材６７８，６７９の係止状態を解除することでドアブロック４から払出ブロック６が取り外しできるようになっている。
【０２５７】
（払出制御装置６０３と電源装置６０４との説明）
次に、裏カバー部材６０１の背面側に取り付けられた払出制御装置６０３と電源装置６０４とを図５２等に基づいて説明する。
【０２５８】
払出制御装置６０３は、前記主制御装置５０５等と同様、ＣＰＵやメモリ等の電子部品が実装された払出制御基板６８１と、その払出制御基板６８１を収容する基板ボックス６８２とから構成されている。基板ボックス６８２は透明な合成樹脂材料にて成形されており、この透明な基板ボックス６８２によってその内部の払出制御基板６８１が視認可能となっている。基板ボックス６８２には、同ボックス６８２を構成する表側及び裏側のケース部材を連結する封印手段としての封印部６８３（いわゆるカシメ部）が設けられている。封印部６８３は、破壊等を伴うことで基板ボックス６８２を開封可能とするものであり、開封後には破壊などがなされた部材が開封履歴として残るため、その開封履歴によって開封事実の確認が可能となっている。これにより、仮に基板ボックス６８２が不正に開封された場合などにおいては、封印部６８３の確認によって不正行為の発見が可能となっている。
【０２５９】
また、払出制御装置６０３の基板ボックス６８２には、ナイラッチ（登録商標）等よりなる固定具６８４，６８５が設けられており、他方当該払出制御装置６０３が取り付けられる裏カバー部材６０１のベース部６１１には、被取付孔部６８６，６８７が設けられている（図５４参照）。この場合、払出制御装置６０３を所定の取付位置に配置し、被取付孔部６８６，６８７に対して固定具６８４，６８５を固定操作状態とすることにより、裏カバー部材６０１に対する払出制御装置６０３の装着が完了する。
【０２６０】
一方、電源装置６０４は、電源基板６９１とその電源基板６９１を収容する基板ボックス６９２とにより構成されている。基板ボックス６９２は透明な合成樹脂材料にて成形されており、この透明な基板ボックス６９２によってその内部の電源基板６９１が視認可能となっている。電源装置６０４には、本遊技機１を起動させるための電源スイッチ６９４と、本遊技機１の各種状態をリセットするためのリセットスイッチ６９５と、ホール管理者などが払出遊技球の出玉調整を行うための設定キースイッチ６９６とが設けられている。本遊技機１０は各種データのバックアップ機能を有しており、万一停電が発生した際でも停電時の状態を保持し、停電からの復帰（復電）の際には停電時の状態に復帰できるようになっている。この場合、例えば、遊技ホールの営業が終了する場合のように通常手順で電源を遮断すると遮断前の状態が記憶保持されるが、リセットスイッチ６９５を押しながら電源スイッチ６９４をオンするとバックアップデータがリセットされるようになっている。また、電源スイッチ６９４がオンされている状態でリセットスイッチ６９５を押した場合にはエラー状態がリセットされる。また、ホール管理者等による設定キーの操作により設定キースイッチ６９６が操作されることにより、本遊技機１の設定状態が多段階で変更される。このとき、例えば「設定１」から「設定６」の６段階で設定変更が行われ、その設定変更に伴い当選確率などが変更されるようになっている。なお、電源装置６０４は、ネジ等により裏カバー部材６０１のベース部６１１に固定される。
【０２６１】
その他、裏カバー部材６０１のベース部６１１には、球貸しユニットから貸し出される遊技球の払出等を管理する球貸しユニット接続基板６９８が設けられている。
【０２６２】
（遊技機１の製造工程の説明）
次に、遊技機１の製造工程について図５６及び図５７を用いて説明する。但し、ここでは上皿ユニット１５に着目して各工程を説明していく。また、準備工程として上皿１５１、第１カバー部材１５７及び第２カバー部材１５８などの各種部材を樹脂等により成形する工程や、ドアブロック４、面替えブロック５、払出ブロック６及び取込ユニット１６の組み立て工程は完了しているものとする。
【０２６３】
図５６（ａ）に示すように、上皿１５１に対して、その上面側に第１カバー部材１５７及び第３カバー部材１５９を固定し、下面側に貸球操作装置１５３、排出操作伝達装置１５４及び球留め装置１５５を固定する工程を行う（なお、球留め装置１５５は上皿１５１の背面寄りにあるため、図示はされていない）。この場合に、第１カバー部材１５７、貸球操作装置１５３、排出操作伝達装置１５４及び球留め装置１５５を上皿１５１に対してビス止めする。一方、第３カバー部材１５９は、図１９に示したように、上皿１５１に対して固定フック２５２により固定する。
【０２６４】
その後、図５６（ｂ）に示すように、第２カバー部材１５８の配置工程を行う。この場合に、第２カバー部材１５８の上壁部２４７を持ち手部として持ち、第２カバー部材１５８の底壁部２４６に形成されたガイド用突起２４９を上皿１５１に形成された仕切部１６７，１６８の上流部１６７ａ，１６８ａを滑らせることで第２カバー部材１５８を上皿１５１に対して挿し込む（図２６（ａ）参照）。これにより、第２カバー部材１５８の挿し込み方向への移動がガイドされる。そして、第２カバー部材１５８を差し込んでいくと、第２カバー１５８の下流側端面２５０が上皿１５１の周壁部１６２に当接することでその挿し込み方向の移動が規制される。この規制された位置にて第２カバー部材１５８を上皿１５１及び第１カバー部材１５７に支持させることにより、挿入用突起２４８が仕切部１６７の貫通孔１６７ａに挿入され、さらにガイド用突起２４９の上流側面２４９ａが仕切部１６７の下流側端面１６７ｄに当接した状態となり、上皿１５１に対して第２カバー部材１５８が位置決めされる（図２６（ｂ）参照）。つまり、第２カバー部材１５８の上皿１５１に対する配置作業を容易に行うことができる。
【０２６５】
第２カバー部材１５８を配置することで、第２カバー部材１５８はそのフランジ部２４１が第１カバー部材１５７の支持枠部２３５及び上皿１５１の奥側壁部１６６の双方により支持される（図２２等参照）。また、配置に際して第２カバー部材１５８の引掛け部２４４が上皿１５１の引掛け受け部１６６に引っ掛かる。これにより、第２カバー部材１５８が上皿１５１に対して仮止めされる（図１７参照）。以上の工程により、上皿ユニット１５の組み立てが完了する。
【０２６６】
上皿ユニット１５を完成させた後、図５６（ｃ）に示すように、既に組み立てが完了されているドアブロック４に対して上皿ユニット１５を固定する工程を行う。この固定に際しては、第１カバー部材１５７の手前側端部２３２に設けられた貫通孔２３３を介して第１カバー部材１５７を横長窓部５０にビス止めする。これにより、上皿１５１の奥側領域Ａ２が透明パネル１３よりも奥まった位置に配置された構成において、上皿１５１の奥側壁部１６６と横長窓部５０とが第１カバー部材１５７及び第２カバー部材１５８を介して連結され、両者の間にて遊技機１の内部が遊技機前方に開放されることが防止される。また、この固定に際しては、上記のとおり、第２カバー部材１５８が上皿１５１に対して仮止めされているので、第２カバー部材１５８が外れてしまうことを防止することができる。このように、ドアブロック４に対して上皿ユニット１５が固定する工程を行った後に、既に組み立てられている取込ユニット１６をドアブロック４に対して固定する工程を行う。
【０２６７】
次に、図５７（ａ）に示すように、既に組み立てられている面替えブロック５と払出ブロック６とを結合させた状態で、これらをドアブロック４に対して取り付ける工程を行う。この場合に、面替えブロック５と払出ブロック６との結合は、面替えブロック５に設けられた係合フック部材５３１，５３２を払出ブロック６に設けられた係止片６７１，６７２に係止させることにより行う。また、両ブロック５，６のドアブロック４に対する取り付けは、ドアブロック４に設けられた軸金具１１１，１１２，１１３に対して面替えブロック５の支軸５２５，５２６及び払出ブロック６の支軸６６２，６６３，６６６を軸支させることにより行う。
【０２６８】
その後、図５７（ｂ）に示すように、ドアブロック４に対して面替えブロック５及び払出ブロック６の一体物を固定する工程を行う。つまり、ドアブロック４に対して面替えブロック５及び払出ブロック６の一体物を手前側に回動させて重ねる（閉位置に回動させる）ことにより、施錠装置１２０によりドアブロック４に対して払出ブロック６が施錠される。また、払出ブロック６の裏カバー部材６０１に設けた各ロック部材６７８，６７９を指等でロック状態に操作する。この場合に、面替えブロック５が第１カバー部材１５７及び第２カバー部材１５８の上に載る。そして、面替えブロック５と、上皿１５１及び第１カバー部材１５７の双方とにより挟持されることで、第２カバー部材１５８が固定される。つまり、面替えブロック５及び払出ブロック６の固定を行うことで第２カバー部材１５８の固定が完了する。
【０２６９】
ここで、前面枠５０１の下壁部５５７は、その手前側端部が第１カバー部材１５７の奥側端部及び第２カバー部材１５８の奥側端部に対して上方に離れた高さに位置するように、前後方向の途中位置から手前側端部に向けて上り傾斜となっている。したがって、面替えブロック５をドアブロック４に対して閉じた位置に回動させる際に下壁部５５７の上り傾斜部分が第１カバー部材１５７の奥側端部及び第２カバー部材１５８の奥側端部に対して滑り部として機能し、面替えブロック５が第１カバー部材１５７及び第２カバー部材１５８に載り易くなっている。よって、面替えブロック５及び払出ブロック６の一体物の回動作業を容易に行うことができる。
【０２７０】
以上のように、ドアブロック４に対して面替えブロック５及び払出ブロック６の一体物を固定して遊技機主部３の組み立てを完了した後、当該遊技機主部３を外枠２に取り付ける工程を行う。この取り付けはヒンジ金具８を用いて行う。そして、最後に遊技機主部３を外枠２に対して閉じると、施錠装置１２０により遊技機主部３が外枠２に対して施錠され、遊技機１の製造が完了する。なお、以上の工程に際しては、各ブロック間の電気配線等の接続作業を適宜行う必要がある。
【０２７１】
（面替えユニット５の交換作業等の説明）
次に、遊技ホールでの機種入替時などにおける面替えブロック５の交換作業について説明する。
【０２７２】
まずは規定の操作キーを施錠装置１２０のキーシリンダ１３７に差し込んで所定方向（時計回り方向）に回動操作し、外枠２に対するドアブロック４の施錠状態を解除する。そして、ドアブロック４を手前側に開放する。このとき、ドアブロック４と共に面替えブロック５や払出ブロック６が一体動作する。これが図３に示す状態である。
【０２７３】
次に、同じく操作キーを前記所定方向と反対方向（反時計回り方向）に回動操作し、ドアブロック４に対する払出ブロック６の施錠状態を解除する。また、払出ブロック６の裏カバー部材６０１に設けた各ロック部材６７８，６７９を指等でアンロック状態に操作する。これにより、ドアブロック４に対して面替えブロック５及び払出ブロック６の一体物が回動可能（開放動作可能）となり、その面替えブロック５及び払出ブロック６の一体物を後方に回動させる。そして更に、面替えブロック５に設けた結合フック部材５３１，５３２を結合解除位置に操作し、面替えブロック５を前方に回動させると図４に示す状態となる。なおこの状態で、各ブロック間の電気配線等を適宜外しておく。
【０２７４】
そして、図４の状態で、面替えブロック５を上方に持ち上げるようにしてドアブロック４から取り外す。このとき、ドアブロック４側に設けられた軸金具１１１，１１２の軸受け部１１１ｂ，１１２ａから面替えブロック５側に設けられた支軸５２５，５２６が引き抜かれ、ドアブロック４から面替えブロック５が分離される。
【０２７５】
その後、新しい面替えブロック５を取り外し時と逆の作業手順で装着する。すなわち、新しい面替えブロック５をドアブロック４に取り付け、電気配線等の接続を適宜実行する。そして、面替えブロック５と払出ブロック６とを重ねた状態で結合フック部材５３１，５３２を結合位置に操作し、次に、面替えブロック５及び払出ブロック６の一体物をドアブロック４側に回動させてこれらを重ねた状態とする。このとき、ドアブロック４に対する払出ブロック６の施錠が行われる。その後、払出ブロック６の各ロック部材６７８，６７９を指等でロック状態に操作する。最後にドアブロック４を外枠２に対して閉じると、遊技機１の入替作業が完了する。
【０２７６】
上記の面替えブロック５の交換作業に際し、操作キーによるドアブロック４の施錠解除以外は何ら特別な工具等を必要することはなく、交換作業の容易化が図られている。
【０２７７】
（上皿１５１のメンテナンス作業の説明）
次に、上皿１５１の掃除などといったメンテナンス作業について図５８及び図５９を用いて説明する。ここで、上述したとおり本遊技機１においては上皿１５１の奥側領域Ａ２が透明パネル１３よりも奥側に配置されており、さらにこの奥側領域Ａ２に形成された各案内通路１７１〜１７３は第２カバー部材１５８により高さ方向が規制されている。したがって、上皿１５１上において案内通路１７１〜１７３のメンテナンスが特に行いづらい構成となっている。そこで、以下のメンテナンス作業の説明では、案内通路１７１〜１７３のメンテナンス作業に着目して説明する。
【０２７８】
まずは規定の操作キーを施錠装置１２０のキーシリンダ１３７に差し込んで所定方向に回動操作し、外枠２に対するドアブロック４の施錠状態を解除する。そして、図５８（ａ）に示すように、遊技機主部３を手前側に開放する。次に、同じく操作キーを前記所定方向と反対方向に回動操作し、ドアブロック４に対する払出ブロック６の施錠状態を解除する。また、払出ブロック６の裏カバー部材６０１に設けた各ロック部材６７８，６７９を指等でアンロック状態に操作する。これにより、ドアブロック４に対して面替えブロック５及び払出ブロック６の一体物が回動可能（開放動作可能）となり、図５８（ｂ）に示すように、その面替えブロック５及び払出ブロック６の一体物を後方に回動させる（開位置に回動させる）。そして、このように両ブロック５，６の一体物を回動させることにより面替えブロック５による第２カバー部材１５８の固定が解除される。
【０２７９】
その後、図５９に示すように、上皿ユニット１５をドアブロック４に固定した状態で、上皿ユニット１５から第２カバー部材１５８を取り外す。この場合に、上記のとおり面替えブロック５による固定が解除されており、さらにネジやビスなどの固定具が用いられていない。したがって、上皿１５１に設けられた引掛け受け部１６６ｂに対する第２カバー部材１５８に設けられた引掛け部２４４の引掛けを解除するように第２カバー部材１５８の板バネ部２４３を内側に撓ませるだけで、第２カバー部材１５８を取り外すことができる。これにより、案内通路１７１〜１７３が上方に開放され、手やメンテナンス用道具などを案内通路１７１〜１７３内に容易に差し入れることができる。また、上皿１５１の奥側壁部１６６には、案内通路１７１〜１７３付近に低位部１６６ａが設けられているため、上記挿し入れ作業が行い易くなっている。
【０２８０】
以上のように案内通路１７１〜１７３（上皿１５１）のメンテナンスを行った後は、上記手順と逆の手順で元の状態に戻す。すなわち、先ず上皿１５１に対して第２カバー部材１５８を配置する。この際、上記「遊技機１の製造工程」で説明したように、第２カバー部材１５８の配置作業を簡単に行うことができる。次に、面替えブロック５及び払出ブロック６の一体物をドアブロック４側に回動させてこれらを重ねた状態とする。このとき、ドアブロック４に対する払出ブロック６の施錠が行われると共に、第２カバー部材１５８が上皿１５１に対して固定される。また、当該回動作業に際しては、上記「遊技機１の製造工程」で説明したように、面替えブロック５及び払出ブロック６の一体物の回動作業を容易に行うことができる。
【０２８１】
その後、払出ブロック６の各ロック部材６７８，６７９を指等でロック状態に操作する。最後にドアブロック４を外枠２に対して閉じると、上皿１５１のメンテナンス作業が完了する。ここで、第２カバー部材１５８の配置作業に際しては、遊技機１の製造工程にて説明したように、第２カバー部材１５８の上皿１５１に対する位置決めを容易に行うことができる。
【０２８２】
（電気的構成の説明）
次に、本遊技機１の電気的構成について、図６０のブロック図に基づいて説明する。図６０では、電気的な各構成要素を、ドアブロック４、面替えブロック５及び払出ブロック６に区分けして示している。また、電源装置６０４から供給される電力の供給ラインを二重線矢印で示し、信号ラインを実線矢印で示す。
【０２８３】
図６０において、主制御装置５０５、表示制御装置５０６及び払出制御装置６０３は、何れもＣＰＵ、ＲＯＭ、ＲＡＭ等を有してなる論理演算装置にて構成されており、各制御装置のＣＰＵはＲＯＭ内に予め記憶されている演算プログラムに基づいて遊技に関する各種制御を実行する。これら各制御装置は、信号ラインや中継基板等を介して接続されており、遊技に際しては制御装置間におけるコマンド等の授受によって遊技の進行が行われる。
【０２８４】
詳しくは、面替えブロック５において、主制御装置５０５には、リール中継基板５４８を介してリール装置５０３と外部端子板５７５とが接続されるとともに、サブ中継基板７０１を介して表示制御装置５０６が接続されている。リール装置５０３では、主制御装置５０５からの指令に基づいて各リール５４１〜５４３の回転が制御される。外部端子板５７５は遊技ホール等に設置されるホール管理装置（いわゆる、ホールコンピュータ）に接続される中継装置であり、この外部端子板５７５を通じて都度の遊技状況（遊技回数、当り回数等々）がホール管理装置に出力される。表示制御装置５０６は、主制御装置５０５から毎遊技の補助演出に関する各種コマンドを入力し、そのコマンドに応じて液晶表示装置５０４による補助演出を実施するとともに、ドアブロック４に設けたドア上部中継基板７０３（前記音声ランプ中継基板１０８に相当）を介してスピーカ類やランプ類の駆動を制御する。また、表示制御装置５０６は、遊技機１の電源がオンとなっている間は面替えブロック５に設けられた蛍光管５５４に対して電力を供給する。
【０２８５】
図示等による説明は省略したが、本遊技機１には、外枠２に対して遊技機主部３（ドアブロック４）が開放されたことを検知するためのドアスイッチが設けられており、このドアスイッチの検出信号はリール中継基板５４８を介して主制御装置５０５に入力されるようになっている。
【０２８６】
なお、主制御装置５０５において、ＲＡＭの一部には本遊技機１の電源遮断後においても電源装置６０４からバックアップ電圧が供給されてデータを保持（バックアップ）することが可能なバックアップエリアが設けられている。したがって、停電などの発生により電源が遮断された場合には、電源遮断時の各種データがＲＡＭのバックアップエリアに記憶保持され、次回の電源投入時（停電解消による電源投入を含む）において遊技機１の状態が電源遮断前の状態に復帰できるようになっている。
【０２８７】
また、払出ブロック６には払出ブロック中継基板７０２が設けられており、この払出ブロック中継基板７０２を介して前記面替えブロック５の主制御装置５０５と、本払出ブロック６の払出制御装置６０３や取込ユニット１６とが接続されている。加えて、払出ブロック中継基板７０２を介して前記面替えブロック５の主制御装置５０５と、ドアブロック４のドアブロック中継基板７０４とが接続されている。
【０２８８】
この場合、ドアブロック４の各種操作部材（ベットスイッチ３８、スタートレバー３３、ストップスイッチ３５〜３７）が遊技者により操作されると、これら操作部材に内蔵された操作検出部によって当該操作が検出され、都度の操作検出信号がドアブロック中継基板７０４及び払出ブロック中継基板７０２を介して主制御装置５０５に入力される。例えば、ベットスイッチ３８の操作に伴う操作検出信号が主制御装置５０５に入力された場合、主制御装置５０５は、払出ブロック中継基板７０２を介して取込ユニット１６に取込制御信号を出力する。この取込制御信号によって取込ユニット１６の各取込装置３０１〜３０３におけるソレノイド３２５が駆動され、遊技球の取込が順次行われる。遊技球取込時における遊技球取込検出センサ（センサユニット３７０、下流側取込センサ３８０）の検出信号は、やはり払出ブロック中継基板７０２を介して主制御装置５０５に入力される。
【０２８９】
また、リール装置５０３の各リールの停止図柄（ドアブロック４の視認窓２１から視認できる上下３個分の図柄、及び各図柄の組み合わせ）が所定の遊技球払出役（小役図柄、ボーナス図柄）に合致する場合には、主制御装置５０５は、都度の成立役に応じて遊技球の払出個数を設定し、その払出個数に対応する払出制御信号を払出ブロック中継基板７０２を介して払出制御装置６０３に出力する。これにより、払出制御装置６０３によって払出装置６１８（払出モータ６１９）が駆動され、遊技球の払出が行われる。
【０２９０】
なお、払出制御装置６０３において、ＲＡＭの一部には主制御装置５０５のＲＡＭと同様に、本遊技機１の電源遮断後においても電源装置６０４からバックアップ電圧が供給されてデータを保持（バックアップ）することが可能なバックアップエリアが設けられている。したがって、停電などの発生により電源が遮断された場合には、電源遮断時の各種データがＲＡＭのバックアップエリアに記憶保持され、次回の電源投入時（停電解消による電源投入を含む）において遊技機１の状態が電源遮断前の状態に復帰できるようになっている。
【０２９１】
図示は省略しているが、払出制御装置６０３には、面替えブロック５の前面枠５０１に設けた情報表示基板５１４や、球貸しユニットから貸し出される遊技球の払出等を管理する球貸しユニット接続基板６９８等が接続されている。
【０２９２】
電源装置６０４は外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置５０５や払出制御装置６０３等に対して供給する。
【０２９３】
（遊技の概略説明）
次に、上記構成の遊技機１について、遊技者により行われる遊技の概要を簡単に説明する。
【０２９４】
遊技の開始に際し、上皿１５１に遊技球が十分にある状況において遊技者によりベットスイッチ３８が押圧操作されると、取込ユニット１６の各取込装置３０１〜３０３において各々遊技球の取込が行われる。そして、ベット数に対応する所定個数（例えば１５個）の遊技球の取込が完了した後、スタートレバー３３が操作されると、リール装置５０３の各リール５４１〜５４３が一斉に又は所定順序で回転し始める。このスタートレバー３３の操作時には、主制御装置５０５において小役、再遊技（リプレイ）、ボーナスゲーム等に関する内部抽選が行われる。各リール５４１〜５４３の回転時には、その外周面に付された図柄が視認窓２１を通じて上から下へと移動するような態様で視認される。
【０２９５】
その後、遊技者によりストップスイッチ３５〜３７が任意の順序で操作されると、各ストップスイッチ３５〜３７の操作タイミングに合わせて各々対応するリール５４１〜５４３の回転が停止される。このとき、各リール５４１〜５４３の停止時には、所定の図柄を特定位置に停止させるような引き込み停止制御が適宜実施される。例えば、内部抽選により小役等が成立している場合、その小役等が成立する停止図柄の組み合わせとなるように、ストップスイッチ３５〜３７の操作タイミングから最大４図柄分、停止図柄がスライド可能となっている（停止図柄のスベリが行われる）。ちなみに、各リール５４１〜５４３の回転開始後、ストップスイッチ３５〜３７の操作がなされないまま規定時間を経過した場合にはその時点で各リール５４１〜５４３の回転が停止される。
【０２９６】
各リール５４１〜５４３の停止時（図柄停止時）において、その停止図柄及びその組み合わせが小役図柄やボーナス図柄に合致する場合、その際の成立役に応じた数の遊技球が払い出される。この場合、払出装置６１８の駆動により上皿１５１に遊技球が払い出される。この払い出しに関して詳細には、図４８に示すように、ベル図柄の組合せが停止することにより５０個の遊技球が払い出され、スイカ図柄の組合せが停止することにより３０個の遊技球が払い出され、左リール５４１にてチェリー図柄が停止することにより１０個の遊技球が払い出される。なお、遊技球の払い出しではないが、人キャラクタ図柄の組合せが停止することにより、再遊技（リプレイ）の特典が付与される。
【０２９７】
以上詳述した本実施の形態によれば、以下の優れた効果を奏する。
【０２９８】
上皿１５１の案内通路１７１〜１７３内にて遊技球が積み重ならないように、第２カバー部材１５８により各案内通路１７１〜１７３の高さ方向を規制した。これにより、各案内通路１７１〜１７３から取込ユニット１６への遊技球の流れを円滑なものとすることができる。また、本構成によれば、高さ方向を規制する手段が第２カバー部材１５８として上皿１５１などに対して別体で設けられているので、上皿１５１のメンテナンス時や第２カバー部材１５８が破損した場合などには第２カバー部材１５８を取り外すことができる。
【０２９９】
本構成において、第２カバー部材１５８は第１カバー部材１５７（上皿１５１の奥側壁部１６６も含めて）により下方から支持されている。また、ドアブロック４に対して閉位置と開位置との間で回動可能に面替えブロック５が設けられており、当該面替えブロック５は閉位置にあることで第２カバー部材１５８の上方にて第１カバー部材１５７と共に当該第２カバー部材１５８を挟持している。これにより、第２カバー部材１５８が固定されている。つまり、第２カバー部材１５８はネジやビスなどの固定具を用いずに固定されている。一方、面替えブロック５を開位置に移動させることで、上記挟持が解除され第２カバー部材１５８の取り外しが可能となる。よって、上皿１５１の掃除作業や第２カバー部材１５８が破損した場合などにおける交換作業などといったメンテナンスを行う場合には、ネジやビスなどの固定具の固定解除操作及びその後の固定操作を行う必要がなく、面替えブロック５をドアブロック４に対して回動させることで上皿１５１に対する第２カバー部材１５８の固定解除及びその後の固定を行うことができる。以上より、第２カバー部材１５８の固定を確実なものとしつつ当該第２カバー部材１５８を取り外して行うメンテナンスの作業性を向上させることができる。
【０３００】
また、本構成では、面替えブロック５が第２カバー部材１５８の挟持体として機能とすることにより第２カバー部材１５８を強固に固定することができる。つまり、面替えブロック５にはリール装置５０３や主制御装置５０５が搭載されており比較的重量が大きくなっているからである。また、このように面替えブロック５が挟持体として機能することにより、ドアブロック４に対して遊技機１の主要な機能を有する面替えブロック５を固定することにより第２カバー部材１５８の固定を完了することができる。
【０３０１】
上皿１５１の奥側領域Ａ２に形成された各案内通路１７１〜１７３が透明パネル１３よりも奥側となるように上皿１５１を配置し、取込ユニット１６も透明パネル１３よりも奥側に配置した。つまり、各案内通路１７１〜１７３は奥まった位置に配置され、取込ユニット１６はドアブロック４の前面に対して奥側に離間された位置に配置されている。よって、取込ユニット１６に対して不正用冶具を挿入しようとしてもその挿入作業が行いづらくなり、当該不正用冶具を用いた不正行為を抑制することができる。但し、このように案内通路１７１〜１７３が奥まった位置に配置された構成においては、第２カバー部材１５８も奥まった位置に配置されることとなり、第２カバー部材１５８を取り外して行うメンテナンスの作業性が低下するおそれがある。これに対して、上記のとおり、面替えブロック５を開位置に回動させることにより第２カバー部材１５８を取り外すことができるので、上記作業性の低下を抑制することができる。
【０３０２】
面替えブロック５を構成する前面枠５０１の下壁部５５７を、その手前側端部が第１カバー部材１５７の奥側端部及び第２カバー部材１５８の奥側端部に対して上方に離れた高さに位置するように、前後方向の途中位置から手前側端部に向けて上り傾斜となるよう形成した。これにより、面替えブロック５をドアブロック４に対して閉位置に回動させる際に下壁部５５７の上り傾斜部分が第１カバー部材１５７の奥側端部及び第２カバー部材１５８の奥側端部に対して滑り部として機能し、面替えブロック５が第１カバー部材１５７及び第２カバー部材１５８に載り易くなっている。よって、第２カバー部材１５８を取り外して行うメンテナンスの作業性を向上させることができる。
【０３０３】
各案内通路１７１〜１７３の仕切部１６７，１６８における下流部１６７ａ，１６８ａの上面を下流側端部に向けて下り傾斜とすると共に、第２カバー部材１５８の底壁部２４６を下流側端部に向けて下り傾斜とした。また、第２カバー部材１５８の底壁部２４６には挿入用突起２４８とガイド用突起２４９とを設け、仕切部１６７，１６８の下流部１６７ａ，１６８ａには挿入用突起２４８が挿入される貫通孔１６７ｃ，１６８ｃを設けた。さらに、第２カバー部材１５８の下流側端面２５０を上皿１５１の周壁部１６２に当接させると共に、ガイド用突起２４９を仕切部１６７，１６８の下流側端面に当接させた。これにより、第２カバー部材１５８を上皿１５１に配置する際には、ガイド用突起２４９を仕切部１６７における上流部１６７ａの傾斜に沿って滑らせることで第２カバー部材１５８の挿し込み方向への移動がガイドされる。そして、第２カバー部材１５８を挿し込んでいくと、第２カバー１５８の下流側端面２５０が上皿１５１の周壁部１６２に当接することでその挿し込み方向の移動が規制される。この規制された位置にて第２カバー部材１５８を上皿１５１及び第１カバー部材１５７に支持させることにより、挿入用突起２４８が仕切部１６７の貫通孔１６７ａに挿入され、さらにガイド用突起２４９の上流側面２４９ａが仕切部１６７の下流側端面１６７ｄに当接した状態となり、上皿１５１に対して第２カバー部材１５８が位置決めされる。よって、第２カバー部材１５８を取り外して行うメンテナンス後における第２カバー部材１５８の配置作業を簡単に行うことができる。
【０３０４】
仕切部１６７，１６８の上面と第２カバー部材１５８の底壁部２４６の上面との間に所定の隙間が形成されるように第２カバー部材１５８を配置し、さらに第２カバー部材１５８の挿入用突起２４８が挿入される挿入部は貫通孔１６７ｃ，１６８ｃである。よって、面替えブロック５を閉位置に回動させて第２カバー部材１５８を挟持した際に当該第２カバー部材１５８が下方に沈んだとしても、仕切部１６７，１６８、第２カバー部材１５８及び挿入用突起２４８に破損が生じることを防止することができる。
【０３０５】
第２カバー部材１５８により各案内通路１７１〜１７３の途中位置から下流側端部までの上面開放側を覆った。これにより、各案内通路１７１〜１７３の出口周辺が遊技機１の前方に開放されないようになっている。よって、案内通路１７１〜１７３を介して取込ユニット１６に対して不正用冶具を挿入しようとしても第２カバー部材１５８により邪魔され、その挿入作業を困難なものとすることができ、不正用冶具を用いた不正行為を抑制することができる。また、上記のとおり、第２カバー部材１５８は案内通路１７１〜１７３内にて遊技球が積み重なるのを防止する機能を有する。つまり、第２カバー部材１５８に対して、遊技球が積み重なるのを防止する機能と、不正用冶具を用いた取込ユニット１６に対する不正行為を抑制する機能とを共通化させることができる。
【０３０６】
第２カバー部材１５８を、透明材料により上方に開放した箱形状とした。これにより、案内通路１７１〜１７３の第２カバー部材１５８により覆われた領域にある遊技球が遊技機前方から視認可能となる。仮に、当該領域が遊技機前方から視認できない構成においては、遊技者が遊技球の存否を確認することが困難なものとなるため、まだ遊技球が残っているのにそれに気づかず遊技を止めてしまうなどの不都合が生じ得る。これに対して、上記のとおり、案内通路１７１〜１７３の第２カバー部材１５８により覆われた領域にある遊技球を視認可能とすることで、上記不都合の発生を抑制することができる。
【０３０７】
各取込装置３０１〜３０３において、入口通路３０５〜３０７がハウジング３１１，３１２の外部に露出されるようにハウジング３１１，３１２の上部を上方に開放し、さらに入口通路３０５〜３０７内にて遊技球が積み重なるのを防止すべく入口通路３０５〜３０７の上面開放側を第２カバー部材１５８により覆った。これにより、面替えブロック５を回動させて第２カバー部材１５８を取り外すことで、入口通路３０５〜３０７のメンテナンスを容易に行うことができる。
【０３０８】
また、上記のとおり第２カバー部材１５８が透明材料により上方に開放した箱形状に形成されており、さらに各取込装置３０１〜３０３は上皿１５１に対して横並びで配置されている。したがって、遊技者にとっては入口通路３０５〜３０７内の遊技球の存否を目視により確認することが可能となる。仮に、入口通路３０５〜３０７内にある遊技球の存否を確認することが困難な構成においては、まだ遊技球が残っているのにそれに気づかず遊技を止めてしまうなどの不都合が発生し得る。これに対して、上記のとおり、入口通路３０５〜３０７の遊技球の存否を目視により確認可能とすることで、上記不都合の発生を抑制することができる。
【０３０９】
なお、取込装置３０１〜３０３内の入口通路３０５〜３０７を取込ゲート部材３２０に向けて下り傾斜させて設けたことにより、入口通路３０５〜３０７を通過する遊技球はその底面上を傾斜に沿って転動する。これにより、入口通路３０５〜３０７内にて連なる遊技球の重量負荷の一部が入口通路３０５〜３０７の底面により受けられ、これら遊技球の取込ゲート部材３２０に対する重量負荷が軽減される。よって、取込ゲート部材３２０の動作不良の発生を抑制することができる。特に、取込ゲート部材３２０は取込通路３１５の外部に設けられた支軸３２１に片持ち支持されているため、取込ゲート部材３２０の先端に大きな負荷が加えられると、当該部位における破損や取込ゲート部材３２０と回動片３３２との連結部分における故障などが発生し得る。これに対して、上記のように取込ゲート部材３２０にかかる重量負荷を軽減させることでかかる不都合の発生を抑制することができる。
【０３１０】
また、入口通路３０５〜３０７の底面が取込ゲート部材３２０に向けて下り傾斜した構成においては、入口通路３０５〜３０７の底面には埃などが溜まり易くなる。そして、埃などが溜まると入口通路３０５〜３０７の遊技球の通過が阻害されてしまうおそれがある。また、埃などが１塊となって下流側へ流れ、センサユニット３７０によりそれが遊技球の通過と誤検知されるおそれがある。さらには、埃などが取込ゲート部材３２０側にまで溜まり、当該取込ゲート部材３２０の動作不良を引き起こすおそれがある。したがって、入口通路３０５〜３０７を定期的にメンテナンスする必要が生じる。この場合に、上記のとおり入口通路３０５〜３０７のメンテナンスの作業性が向上されている。
【０３１１】
第１カバー部材１５７に支持枠部２３５を設けると共に、第２カバー部材１５８には支持枠部２３５上に載るフランジ部２４１を設けた。このフランジ部２４１が支持枠部２３５上に載ることで第２カバー部材１５８が第１カバー部材１５７に下方から支持され、当該フランジ部２４１が面替えブロック５と第１カバー部材１５７（上皿１５１の奥側壁部１６６も含めて）とにより挟持される。本構成とすることにより、挟持する範囲を極力抑えつつ第２カバー部材１５８を確実に固定することができる。
【０３１２】
また、フランジ部２４１は第２カバー部材１５８の上端縁に設けられている。これにより、第１カバー部材１５７の上端縁に対して第２カバー部材１５８が上方に突出することが防止される。よって、前面枠５０１の下壁部５５７の形状を複雑化させることなく面替えブロック５による第２カバー部材１５８の挟持を行うことができる。
【０３１３】
案内通路１７１〜１７３が上皿１５１におけるドアブロック４の回動先端側の端部付近に設けられている。これにより、第２カバー部材１５８を取り外して行うメンテナンスの作業性を向上させることができる。遊技機１前方に突出させた位置にて上記作業を行うことができるからである。
【０３１４】
面替えブロック５及び払出ブロック６の一体物の回動先端がドアブロック４の回動先端と同じ側にある。これにより、上記一体物の回動作業を容易に行うことができ、第２カバー部材１５８を取り外して行うメンテナンスの作業性を向上させることができる。
【０３１５】
取込装置３０１〜３０３を複数並設したことにより、遊技開始に際して遊技球を取り込むのに要する時間が短縮化される。また、案内通路１７１〜１７３を取込装置３０１〜３０３の数と同数設けたことにより、上皿１５１にて取込装置３０１〜３０３と同数の一連の遊技球列を確実に形成させることができ、各取込装置３０１〜３０３への遊技球の供給を円滑に行うことができる。また、一の第２カバー部材１５８によりすべての案内通路１７１〜１７３の上面開放側を覆ったことにより、上皿１５１のメンテナンス時には第２カバー部材１５８を取り外すことですべての案内通路１７１〜１７３を上方に開放させることができる。よって、第２カバー部材１５８を取り外して行うメンテナンスの作業性を向上させることができる。但し、本構成においては、第２カバー部材１５８に対して案内通路１７１〜１７３にある遊技球から加えられる負荷が大きくなる。これに対して、上記のとおり、第２カバー部材１５８は強固に固定されているため、第２カバー部材１５８が外れてしまったりすることが防止される。
【０３１６】
なお、以上説明した実施の形態の他、例えば次のように実施してもよい。
【０３１７】
（１）上記実施の形態では、上皿１５１の奥側領域Ａ２の全体が透明パネル１３よりも奥側に位置するように構成したが、上皿１５１の奥側領域Ａ２が透明パネル１３よりも奥側に位置しないように構成してもよい。つまり、上皿１５１の上方開放領域はすべて透明パネル１３に対して前方に位置することとなる。但し、本構成においては、上記実施の形態における面替えブロック５の構成では、第２カバー部材１５８を挟持することができない。そこで、面替えブロック５の下壁部を第２カバー部材１５８の位置まで前方に膨出させて、第２カバー部材１５８を挟持する構成が考えられる。
【０３１８】
（２）上記実施の形態では、第２カバー部材１５８に横長窓部５０と上皿１５１の奥側壁部１６６との間を遮蔽する機能が付加されていたが、第２カバー部材１５８がかかる機能を有していない構成としてもよい。この場合の具体的な構成としては、面替えブロック５の下壁部５５７により横長窓部５０と上皿１５１の奥側壁部１６６との間を遮蔽する構成が考えられる。
【０３１９】
（３）上記実施の形態では、第２カバー部材１５８の手前側端部が横長窓部５０に対して後方に位置していることにより、面替えブロック５を開位置に回動させることで第２カバー部材１５８の取り外しが可能となる構成としたが、これを変更してもよい。例えば、第２カバー部材１５８の手前側端部が横長窓部５０に対して前方に位置していることにより、面替えブロック５を開位置に回動させたとしても上皿１５１に対する第２カバー部材１５８の固定が解除されるだけで第２カバー部材１５８の取り外しは横長窓部５０により阻止される構成としてもよい。本構成では、第２カバー部材１５８を取り外して行うメンテナンス時にドアブロック４から上皿ユニット１５を取り外す必要があり、上皿ユニット１５を固定するネジやビスなどの固定具の固定解除操作などを行う必要があるが、上皿１５１から第２カバー部材１５８を取り外す際にネジやビスなどの固定具の固定解除操作を行う必要がない。よって、上皿１５１から第２カバー部材１５８を取り外す際にネジやビスなどの固定具の固定解除操作を行う必要がある構成に比べ、上記メンテナンスの作業性を向上させることができる。
【０３２０】
（４）上記実施の形態では、面替えブロック５が挟持体として機能したが、これを変更してもよい。例えば、面替えブロック５が設けられておらず、リール装置５０３がドアブロック４にネジやビスなどにより固定された構成においては、払出ブロック６を挟持体として機能させてもよい。また、第２カバー部材１５８を挟持するためだけに挟持用部材を設ける構成としてもよい。但し、第２カバー部材１５８を取り外す際、及びその後に取り付ける際の作業性を向上させるべく挟持用部材をドアブロック４に対して閉位置と開位置との間で移動可能に設ける必要がある。
【０３２１】
（５）上記実施の形態では、挟持体として機能する面替えブロック５をドアブロック４に対して回動可能に設けたが、閉位置と開位置との間でスライド移動可能に設けてもよい。
【０３２２】
（６）上記実施の形態では、第２カバー部材１５８にガイド用突起２４９を設けたが、当該ガイド用突起２４９を設けなくてもよい。本構成においても、挿入用突起２４９の長さ寸法を上記実施の形態よりも大きくすることにより、第２カバー部材１５８を上皿１５１に配置する際には挿入用突起２４８を用いて仕切部１６７，１６８の上面を滑らせることができ、当該配置作業の作業性を向上させることができる。
【０３２３】
（７）上記実施の形態では、第２カバー部材１５８により各取込装置３０１〜３０３に形成された各入口通路３０５〜３０７の上面開放側を覆ったが、第２カバー部材１５８により覆わない構成としてもよい。つまり、第２カバー部材１５８とは別のカバー部材により各入口通路３０５〜３０７の上面開放側を覆う構成としてもよい。また、各取込装置３０１〜３０３において各入口通路３０５〜３０７の底面をハウジング外部に露出させない構成としてもよい。
【０３２４】
（８）上記実施の形態では、第２カバー部材１５８が上方に開放された箱形状に形成されていたが、これを変更してもよい。例えば、第２カバー部材１５８を塊状に形成してもよい。また、第２カバー部材１５８を透明性を有しない材料により形成してもよい。
【０３２５】
（９）上記実施の形態では、第２カバー部材１５８の底壁部２４６に形成された挿入用突起２４８の挿入部として貫通孔１６７ｃ，１６８ｃを設けたが、これを変更してもよい。例えば、挿入部として挿入穴を設ける構成としてもよい。但し、面替えブロック５と上皿１５１とに挟持された際に第２カバー部材１５８が下方に沈んだとしても挿入用突起２４８の先端が挿入穴の底部に当接しないよう構成するのが好ましい。具体的には、挿入穴の深さ寸法を挿入用突起２４８の長さ寸法よりも大きくすることで、挿入用突起２４８の先端が挿入穴の底部に当接しないようにすることができる。
【０３２６】
（１０）上記実施の形態では、払出ブロック６の裏カバー部材６０１にロック部材６７８，６７９が設けられていたが、これらが設けられていない構成であってもよい。本構成では、施錠装置１２０の解錠操作を行うだけでドアブロック４に対する払出ブロック６の固定が解除される。よって、上皿１５１のメンテナンスに際しては、施錠装置１２０の解錠操作のみによりドアブロック４の背面側が開放され、第２カバー部材１５８を取り外すことができる。
【０３２７】
（１１）上記実施の形態では、遊技機１の製造に際して上皿１５１に第２カバー部材１５８を取り付けて上皿ユニット１５を完成させる工程を行った後に、当該上皿ユニット１５をドアブロック４に固定する工程を行ったが、これら両工程の順序が逆であってもよい。本構成では、ドアブロック４に対して面替えブロック５及び払出ブロック６の一体物を回動させて重ねる工程を行う直前に第２カバー部材１５８を取り付ける工程を行えばよいので、第２カバー部材１５８を上皿１５１に仮止めするための構成を有していなくてもよい。つまり、第２カバー部材１５８に板バネ部２４３や引掛け部２４４を設ける必要はなく、上皿１５１に引掛け受け部１６６ｂを設ける必要はない。よって、構成の簡素化を図ることができる。
【０３２８】
（１２）上記実施の形態では、取込ユニット１６として取込装置３０１〜３０３を３個設ける構成としたが、取込装置を１個のみ設ける構成としてもよい。本構成においては、上皿１５１には１の案内通路を設ける。また、取込装置を２個、４個、５個又は６個以上設ける構成としてもよい。本構成においては、上皿１５１には取込装置の数と同数の案内通路を設ける。
【０３２９】
（１３）上記実施の形態における遊技球の、１ベット当りの投入数（所定数）、最大投入数、払出個数等はあくまでも例示であって、上記数値に特に限定されるものではない。
【符号の説明】
【０３３０】
１…遊技機、２…外枠、４…遊技機前面体としてのドアブロック、５…挟持体としての面替えブロック、６…払出ブロック、１１…前扉体、１２…内枠、１３…窓部としての透明パネル、１５…上皿ユニット、１６…取込ユニット、３３…始動操作手段としてのスタートレバー、３５〜３７…停止操作手段としてのストップスイッチ、５０…横長窓部、１２０…施錠装置、１５１…球受け皿としての上皿、１５７…支持手段としての第１カバー部材、１５８…規制体としての第２カバー部材、１６２…周壁部、１６３…球入口としての排出口、１６４…球出口としての開口部、１６６…奥側壁部、１６６ａ…低位部、１６７，１６８…仕切部、１６７ａ，１６８ａ…下流部、１６７ｃ，１６８ｃ…貫通孔、１６７ｄ…下流側端面、１７１〜１７３…出口通路としての案内通路、２３４…開口部、２４１…突出部としてのフランジ部、２４２…奥壁部、２４６…底壁部、２４７…上壁部、２４８…挿入用突起、２４９…ガイド用突起、２５０…下流側端面、３０１〜３０３…取込装置、３０５〜３０７…上流通路としての入口通路、３１１，３１２…ハウジング、３１５…取込通路、３２０…開閉手段としての取込ゲート部材、３２５…駆動手段としてのソレノイド、３７０…球検知手段としてのセンサユニット、５０１…ベース体としての前面枠、５０３…絵柄表示装置としてのリール装置、５０４…液晶表示装置、５０５…主制御装置、５０６…表示制御装置、５４１〜５４３…周回体としてのリール、５５７…下壁部、６１８…払出装置、Ａ２…奥側領域。
【図１】
2014168666.tif 000003
【図２】
2014168666.tif 000004
【図３】
2014168666.tif 000005
【図４】
2014168666.tif 000006
【図５】
2014168666.tif 000007
【図６】
2014168666.tif 000008
【図７】
2014168666.tif 000009
【図８】
2014168666.tif 000010
【図９】
2014168666.tif 000011
【図１０】
2014168666.tif 000012
【図１１】
2014168666.tif 000013
【図１２】
2014168666.tif 000014
【図１３】
2014168666.tif 000015
【図１４】
2014168666.tif 000016
【図１５】
2014168666.tif 000017
【図１６】
2014168666.tif 000018
【図１７】
2014168666.tif 000019
【図１８】
2014168666.tif 000020
【図１９】
2014168666.tif 000021
【図２０】
2014168666.tif 000022
【図２１】
2014168666.tif 000023
【図２２】
2014168666.tif 000024
【図２３】
2014168666.tif 000025
【図２４】
2014168666.tif 000026
【図２５】
2014168666.tif 000027
【図２６】
2014168666.tif 000028
【図２７】
2014168666.tif 000029
【図２８】
2014168666.tif 000030
【図２９】
2014168666.tif 000031
【図３０】
2014168666.tif 000032
【図３１】
2014168666.tif 000033
【図３２】
2014168666.tif 000034
【図３３】
2014168666.tif 000035
【図３４】
2014168666.tif 000036
【図３５】
2014168666.tif 000037
【図３６】
2014168666.tif 000038
【図３７】
2014168666.tif 000039
【図３８】
2014168666.tif 000040
【図３９】
2014168666.tif 000041
【図４０】
2014168666.tif 000042
【図４１】
2014168666.tif 000043
【図４２】
2014168666.tif 000044
【図４３】
2014168666.tif 000045
【図４４】
2014168666.tif 000046
【図４５】
2014168666.tif 000047
【図４６】
2014168666.tif 000048
【図４７】
2014168666.tif 000049
【図４８】
2014168666.tif 000050
【図４９】
2014168666.tif 000051
【図５０】
2014168666.tif 000052
【図５１】
2014168666.tif 000053
【図５２】
2014168666.tif 000054
【図５３】
2014168666.tif 000055
【図５４】
2014168666.tif 000056
【図５５】
2014168666.tif 000057
【図５６】
2014168666.tif 000058
【図５７】
2014168666.tif 000059
【図５８】
2014168666.tif 000060
【図５９】
2014168666.tif 000061
【図６０】
2014168666.tif 000062